(57)【特許請求の範囲】
【請求項１】
物体側から順に、
正の屈折力を有する第１レンズ群と、
負の屈折力を有する第２レンズ群と、
正の屈折力を有する第３レンズ群と、
負の屈折力を有する第４レンズ群と、
正の屈折力を有する第５レンズ群と、からなり、
前記第１レンズ群は正レンズを有し、
前記第２レンズ群は正レンズを有し、
前記第４レンズ群は負レンズと正レンズとからなり、
広角端から望遠端への変倍の際に、前記第１レンズ群、前記第２レンズ群、前記第３レンズ群、前記第４レンズ群、前記第５レンズ群のそれぞれのレンズ群の間の距離は変化し、
前記第４レンズ群は前記変倍の際に移動し、
以下の条件式（１’）、（２）、（３’’）、（４）、（７’’）、（２４）を満足することを特徴とするズームレンズ。
−０．０１５≦Ｔｐ2G_min_p≦０．０１４      （１’）
７０．３≦νｄ1G_max_p      （２）
１．７８≦ｎｄ2G_max_p≦２．３      （３’’）
０．３≦｜ｆ2／ｆ3｜≦０．９      （４）
５４≦νｄ2G_max_n≦９８．０      （７’’）
０．３＜｜ｆ4／ｆ5｜＜１．２      （２４）
ここで、
Ｔｐ2G_min_p＝θgF2G_p−（−０．００１６×νｄ2G_p＋０．６４１５)、
θgF2G_p＝（ｎｇ2G_p−ｎＦ2G_p）／（ｎＦ2G_p−ｎＣ2G_p)、
νｄ2G_pは、前記第２レンズ群の所定の正レンズのアッベ数、
ｎｇ2G_p、ｎＦ2G_p、ｎＣ2G_pは、前記第２レンズ群の前記所定の正レンズの屈折率であって、各々、ｇ線における屈折率、Ｆ線における屈折率、Ｃ線における屈折率、
前記第２レンズ群の前記所定の正レンズは、前記第２レンズ群の正レンズのうちでアッベ数が最も小さい正レンズ、
νｄ1G_max_pは、前記第１レンズ群の正レンズのアッベ数のうち、最大となるアッベ数、
ｎｄ2G_max_pは、前記第２レンズ群の正レンズの屈折率のうち、最大となる屈折率、
ｆ2は、前記第２レンズ群の焦点距離、
ｆ3は、前記第３レンズ群の焦点距離、
νｄ2G_max_nは、前記第２レンズ群の負レンズのアッベ数のうち、最大となるアッベ数、
ｆ4は、前記第４レンズ群の焦点距離、
ｆ5は、前記第５レンズ群の焦点距離、
である。
【請求項２】
物体側から順に、
正の屈折力を有する第１レンズ群と、
負の屈折力を有する第２レンズ群と、
正の屈折力を有する第３レンズ群と、
負の屈折力を有する第４レンズ群と、
正の屈折力を有する第５レンズ群と、からなり、
前記第１レンズ群は正レンズを有し、
前記第２レンズ群は正レンズを有し、
前記第４レンズ群は負レンズと正レンズとからなり、
広角端から望遠端への変倍の際に、前記第１レンズ群、前記第２レンズ群、前記第３レンズ群、前記第４レンズ群、前記第５レンズ群のそれぞれのレンズ群の間の距離は変化し、
前記第４レンズ群は前記変倍の際に移動し、
以下の条件式（１’）、（２’）、（３’’）、（５’）、（７’’）、（９’）を満足することを特徴とするズームレンズ。
−０．０１５≦Ｔｐ2G_min_p≦０．０１４      （１’）
７０．５≦νｄ1G_max_p      （２’）
１．７８≦ｎｄ2G_max_p≦２．３      （３’’）
３．０≦ｆ1／ｆ3≦６．３      （５’）
５４≦νｄ2G_max_n≦９８．０      （７’’）
１３．２≦νｄ4G_max_n−νｄ4G_min_p≦５０      （９’）
ここで、
Ｔｐ2G_min_p＝θgF2G_p−（−０．００１６×νｄ2G_p＋０．６４１５)、
θgF2G_p＝（ｎｇ2G_p−ｎＦ2G_p）／（ｎＦ2G_p−ｎＣ2G_p)、
νｄ2G_pは、前記第２レンズ群の所定の正レンズのアッベ数、
ｎｇ2G_p、ｎＦ2G_p、ｎＣ2G_pは、前記第２レンズ群の前記所定の正レンズの屈折率であって、各々、ｇ線における屈折率、Ｆ線における屈折率、Ｃ線における屈折率、
前記第２レンズ群の前記所定の正レンズは、前記第２レンズ群の正レンズのうちでアッベ数が最も小さい正レンズ、
νｄ1G_max_pは、前記第１レンズ群の正レンズのアッベ数のうち、最大となるアッベ数、
ｎｄ2G_max_pは、前記第２レンズ群の正レンズの屈折率のうち、最大となる屈折率、
ｆ1は、前記第１レンズ群の焦点距離、
ｆ3は、前記第３レンズ群の焦点距離、
νｄ2G_max_nは、前記第２レンズ群の負レンズのアッベ数のうち、最大となるアッベ数、
νｄ4G_max_nは、前記第４レンズ群の負レンズのアッベ数のうち、最大となるアッベ数、
νｄ4G_min_pは、前記第４レンズ群の正レンズのアッベ数のうち、最小となるアッベ数、
である。
【請求項３】
物体側から順に、
正の屈折力を有する第１レンズ群と、
負の屈折力を有する第２レンズ群と、
正の屈折力を有する第３レンズ群と、
負の屈折力を有する第４レンズ群と、
正の屈折力を有する第５レンズ群と、からなり、
前記第１レンズ群は正レンズを有し、
前記第２レンズ群は負レンズを有し、
前記第３レンズ群は正レンズを有し、
前記第４レンズ群は負レンズと正レンズとからなり、
前記第５レンズ群は正レンズを有し、
広角端から望遠端への変倍の際に、前記第１レンズ群、前記第２レンズ群、前記第３レンズ群、前記第４レンズ群、前記第５レンズ群のそれぞれのレンズ群の間の距離は変化し、
前記第４レンズ群は前記変倍の際に移動し、
以下の条件式（１’）、（２’’’）、（７）、（８）、（９）、（１０’）を満足することを特徴とするズームレンズ。
−０．０１５≦Ｔｐ2G_min_p≦０．０１４      （１’）
７２．０≦νｄ1G_max_p      （２’’’）
５４≦νｄ2G_max_n      （７）
６３≦νｄ3G_max_p      （８）
１．０≦νｄ4G_max_n−νｄ4G_min_p≦５０      （９）
３４．０≦νｄ5G_min_p      （１０’）
ここで、
Ｔｐ2G_min_p＝θgF2G_p−（−０．００１６×νｄ2G_p＋０．６４１５)、
θgF2G_p＝（ｎｇ2G_p−ｎＦ2G_p）／（ｎＦ2G_p−ｎＣ2G_p)、
νｄ2G_pは、前記第２レンズ群の所定の正レンズのアッベ数、
ｎｇ2G_p、ｎＦ2G_p、ｎＣ2G_pは、前記第２レンズ群の前記所定の正レンズの屈折率であって、各々、ｇ線における屈折率、Ｆ線における屈折率、Ｃ線における屈折率、
前記第２レンズ群の前記所定の正レンズは、前記第２レンズ群の正レンズのうちでアッベ数が最も小さい正レンズ、
νｄ1G_max_pは、前記第１レンズ群の正レンズのアッベ数のうち、最大となるアッベ数、
νｄ2G_max_nは、前記第２レンズ群の負レンズのアッベ数のうち、最大となるアッベ数、
νｄ3G_max_pは、前記第３レンズ群の正レンズのアッベ数のうち、最大となるアッベ数、
νｄ4G_max_nは、前記第４レンズ群の負レンズのアッベ数のうち、最大となるアッベ数、
νｄ4G_min_pは、前記第４レンズ群の正レンズのアッベ数のうち、最小となるアッベ数、
νｄ5G_min_pは、前記第５レンズ群の正レンズのアッベ数のうち、最小となるアッベ数、
である。
【請求項４】
物体側から順に、
正の屈折力を有する第１レンズ群と、
負の屈折力を有する第２レンズ群と、
正の屈折力を有する第３レンズ群と、
負の屈折力を有する第４レンズ群と、
正の屈折力を有する第５レンズ群と、からなり、
前記第１レンズ群は正レンズを有し、
前記第２レンズ群は負レンズを有し、
前記第３レンズ群は正レンズを有し、
前記第４レンズ群は負レンズと正レンズとからなり、
前記第２レンズ群は、像側に凹面を向けた負レンズを、最も物体側に有し、
前記最も物体側の負レンズでは、像側面の曲率半径の絶対値が、物体側面の曲率半径の絶対値に比べて小さく、
広角端から望遠端への変倍の際に、前記第１レンズ群、前記第２レンズ群、前記第３レンズ群、前記第４レンズ群、前記第５レンズ群のそれぞれのレンズ群の間の距離は変化し、
前記第４レンズ群は前記変倍の際に移動し、
以下の条件式（１’）、（２）、（７’）、（８’）、（１０）、（１１）、（１２）を満足することを特徴とするズームレンズ。
−０．０１５≦Ｔｐ2G_min_p≦０．０１４      （１’）
７０．３≦νｄ1G_max_p      （２）
５５≦νｄ2G_max_n      （７’）
７０．５≦νｄ3G_max_p      （８’）
２３≦νｄ5G_min_p      （１０）
−０．０１２≦Ｔｐ2G_max_n≦  ０．０６      （１１）
１．７８≦ｎｄ2G_max_n≦２．３      （１２）
ここで、
Ｔｐ2G_min_p＝θgF2G_p−（−０．００１６×νｄ2G_p＋０．６４１５)、
θgF2G_p＝（ｎｇ2G_p−ｎＦ2G_p）／（ｎＦ2G_p−ｎＣ2G_p)、
νｄ2G_pは、前記第２レンズ群の所定の正レンズのアッベ数、
ｎｇ2G_p、ｎＦ2G_p、ｎＣ2G_pは、前記第２レンズ群の前記所定の正レンズの屈折率であって、各々、ｇ線における屈折率、Ｆ線における屈折率、Ｃ線における屈折率、
前記第２レンズ群の前記所定の正レンズは、前記第２レンズ群の正レンズのうちでアッベ数が最も小さい正レンズ、
νｄ1G_max_pは、前記第１レンズ群の正レンズのアッベ数のうち、最大となるアッベ数、
νｄ2G_max_nは、前記第２レンズ群の負レンズのアッベ数のうち、最大となるアッベ数、
νｄ3G_max_pは、前記第３レンズ群の正レンズのアッベ数のうち、最大となるアッベ数、
νｄ5G_min_pは、前記第５レンズ群の正レンズのアッベ数のうち、最小となるアッベ数、
Ｔｐ2G_max_n＝θgF2G_n−（−０．００１６×νｄ2G_n＋０．６４１５)、
θgF2G_n＝（ｎｇ2G_n−ｎＦ2G_n）／（ｎＦ2G_n−ｎＣ2G_n)、
νｄ2G_nは、前記第２レンズ群の所定の負レンズのアッベ数、
ｎｇ2G_n、ｎＦ2G_n、ｎＣ2G_nは前記第２レンズ群の前記所定の負レンズの屈折率であって、各々、ｇ線における屈折率、Ｆ線における屈折率、Ｃ線における屈折率、
前記第２レンズ群の前記所定の負レンズは、前記第２レンズ群の負レンズのうちでアッベ数が最も大きい負レンズ、
ｎｄ2G_max_ｎは、前記第２レンズ群の負レンズの屈折率のうち、最大となる屈折率、
である。
【請求項５】
以下の条件式（４’）を満足することを特徴とする請求項１から４のいずれか一項に記載のズームレンズ。
０．３≦｜ｆ2／ｆ3｜≦０．８９      （４’）
ここで、
ｆ2は、前記第２レンズ群の焦点距離、
ｆ3は、前記第３レンズ群の焦点距離、
である。
【請求項６】
以下の条件式（５）を満足することを特徴とする請求項１から５のいずれか一項に記載のズームレンズ。
２．０≦ｆ1／ｆ3≦６．３      （５）
ここで、
ｆ1は、前記第１レンズ群の焦点距離、
ｆ3は、前記第３レンズ群の焦点距離、
である。
【請求項７】
以下の条件式（６）を満足することを特徴とする請求項１から６のいずれか一項に記載のズームレンズ。
１．０５≦｜Φmaxt／ｆ2｜≦３．０      （６）
ここで、
Φmaxtは、望遠端における入射瞳の最大直径であって、Φmaxt＝ｆt／Ｆｎｏtで表され、
ｆtは、望遠端における前記ズームレンズ全系の焦点距離、
Ｆｎｏtは、望遠端における最小Ｆナンバー、
ｆ2は、前記第２レンズ群の焦点距離、
である。
【請求項８】
前記第２レンズ群は、少なくとも負レンズと正レンズを有し、
以下の条件式（７’）を満足することを特徴とする請求項１から７のいずれか一項に記載のズームレンズ。
５５≦νｄ2G_max_n      （７’）
ここで、
νｄ2G_max_nは、前記第２レンズ群の負レンズのアッベ数のうち、最大となるアッベ数、
である。
【請求項９】
以下の条件式（１１）を満足することを特徴とする請求項１から８のいずれか一項に記載のズームレンズ。
−０．０１２≦Ｔｐ2G_max_n≦  ０．０６      （１１）
ここで、
Ｔｐ2G_max_n＝θgF2G_n−（−０．００１６×νｄ2G_n＋０．６４１５)、
θgF2G_n＝（ｎｇ2G_n−ｎＦ2G_n）／（ｎＦ2G_n−ｎＣ2G_n)、
νｄ2G_nは、前記第２レンズ群の所定の負レンズのアッベ数、
ｎｇ2G_n、ｎＦ2G_n、ｎＣ2G_nは前記第２レンズ群の前記所定の負レンズの屈折率であって、各々、ｇ線における屈折率、Ｆ線における屈折率、Ｃ線における屈折率、
前記第２レンズ群の前記所定の負レンズは、前記第２レンズ群の負レンズのうちでアッベ数が最も大きい負レンズ、
である。
【請求項１０】
以下の条件式（８）を満足することを特徴とする請求項１から９のいずれか一項に記載のズームレンズ。
６３≦νｄ3G_max_p      （８）
ここで、
νｄ3G_max_pは、前記第３レンズ群の正レンズのアッベ数のうち、最大となるアッベ数、
である。
【請求項１１】
以下の条件式（１３）を満足することを特徴とする請求項１から１０のいずれか一項に記載のズームレンズ。
０．００５≦Ｔｐ3G_max_p≦０．０６      （１３）
ここで、
Ｔｐ3G_max_p＝θgF3G_p−（−０．００１６×νｄ3G_p＋０．６４１５)、
θgF3G_p＝（ｎｇ3G_p−ｎＦ3G_p）／（ｎＦ3G_p−ｎＣ3G_p)、
νｄ3G_pは、前記第３レンズ群の所定の正レンズのアッベ数、
ｎｇ3G_p、ｎＦ3G_p、ｎＣ3G_pは前記第３レンズ群の前記所定の正レンズの屈折率であって、各々、ｇ線における屈折率、Ｆ線における屈折率、Ｃ線における屈折率、
前記第３レンズ群の前記所定の正レンズは、前記第３レンズ群の正レンズのうちでアッベ数が最も大きい正レンズ、
である。
【請求項１２】
以下の条件式（９）を満足することを特徴とする請求項１から１１のいずれか一項に記載のズームレンズ。
１．０≦νｄ4G_max_n−νｄ4G_min_p≦５０      （９）
ここで、
νｄ4G_max_nは、前記第４レンズ群の負レンズのアッベ数のうち、最大となるアッベ数、
νｄ4G_min_pは、前記第４レンズ群の正レンズのアッベ数のうち、最小となるアッベ数、
である。
【請求項１３】
以下の条件式（１４）を満足することを特徴とする請求項１から１２のいずれか一項に記載のズームレンズ。
１．０≦ＬＴＬt／ｆt≦２．８      （１４）
ここで、
ＬＴＬtは、望遠端における前記ズームレンズ全系の全長、
ｆtは、望遠端における前記ズームレンズ全系の焦点距離、
である。
【請求項１４】
以下の条件式（１５）を満足することを特徴とする請求項１から１３のいずれか一項に記載のズームレンズ。
０．７≦ＬＴＬw／ｆt≦２．２      （１５）
ここで、
ＬＴＬwは、広角端における前記ズームレンズ全系の全長、
ｆtは、望遠端における前記ズームレンズ全系の焦点距離、
である。
【請求項１５】
以下の条件式（１６）を満足することを特徴とする請求項１から１４のいずれか一項に記載のズームレンズ。
０．７≦ｆ1／ｆt≦１．６      （１６）
ここで、
ｆ1は、前記第１レンズ群の焦点距離、
ｆtは、望遠端における前記ズームレンズ全系の焦点距離、
である。
【請求項１６】
以下の条件式（１７）を満足することを特徴とする請求項１から１５のいずれか一項に記載のズームレンズ。
０．００５≦Ｔｐ1G_max_p≦０．０６      （１７）
ここで、
Ｔｐ1G_max_p＝θgF1G_p−（−０．００１６×νｄ1G_p＋０．６４１５)、
θgF1G_p＝（ｎｇ1G_p−ｎＦ1G_p）／（ｎＦ1G_p−ｎＣ1G_p)、
νｄ1G_pは、前記第１レンズ群の所定の正レンズのアッベ数、
ｎｇ1G_p、ｎＦ1G_p、ｎＣ1G_pは前記第１レンズ群の前記所定の正レンズの屈折率であって、各々、ｇ線における屈折率、Ｆ線における屈折率、Ｃ線における屈折率、
前記第１レンズ群の前記所定の正レンズは、前記第１レンズ群の正レンズのうちでアッベ数が最も大きい正レンズ、
である。
【請求項１７】
前記第４レンズ群はフォーカスレンズ群であることを特徴とする請求項１から１６のいずれか一項に記載のズームレンズ。
【請求項１８】
前記第２レンズ群は、少なくとも２枚の負レンズと１枚の正レンズとを有することを特徴とする請求項１から１７のいずれか一項に記載のズームレンズ。
【請求項１９】
以下の条件式（１２’）を満足することを特徴とする請求項１から１８のいずれか一項に記載のズームレンズ。
１．７３≦ｎｄ2G_max_n≦２．３      （１２’）
ここで、
ｎｄ2G_max_nは、前記第２レンズ群の負レンズの屈折率のうち、最大となる屈折率、
である。
【請求項２０】
前記第２レンズ群は、像側に凹面を向けた負レンズを、最も物体側に有し、
前記最も物体側の負レンズでは、像側面の曲率半径の絶対値が、物体側面の曲率半径の絶対値に比べて小さく、
以下の条件式（１８）を満足することを特徴とする請求項１から１９のいずれか一項に記載のズームレンズ。
１．７３≦ｎｄ2G_n1≦２．３      （１８）
ここで、
ｎｄ2G_n1は、前記第２レンズ群の最も物体側の負レンズの屈折率、
である。
【請求項２１】
前記第３レンズ群は、手ブレ補正用の正レンズを有し、
前記手ブレ補正用の正レンズを光軸と垂直方向にシフトすることで、手ブレによる像ズレの補正を行うことを特徴とする請求項１から２０のいずれか一項に記載のズームレンズ。
【請求項２２】
前記第３レンズ群は、手ブレ補正用の負レンズを有し、
以下の条件式（１９）を満足することを特徴とする請求項２１に記載のズームレンズ。
６≦νｄG3_IS_p−νｄG3_IS_n≦６５      （１９）
ここで、
νｄG3_IS_pは、前記手ブレ補正用の正レンズのアッベ数のうち、最大となるアッベ数、
νｄG3_IS_nは、前記手ブレ補正用の負レンズのアッベ数のうち、最小となるアッベ数、
である。
【請求項２３】
前記第２レンズ群は、負レンズと正レンズとを少なくとも有し、
以下の条件式（２０）を満足することを特徴とする請求項１から２２のいずれか一項に記載のズームレンズ。
１５≦νｄG2_min_p≦３２      （２０）
ここで、
νｄG2_min_pは、前記第２レンズ群の正レンズのアッベ数のうち、最小となるアッベ数、
である。
【請求項２４】
前記第１レンズ群は、１枚の負レンズと２枚の正レンズとを、少なくとも有することを特徴とする請求項１から２３のいずれか一項に記載のズームレンズ。
【請求項２５】
前記第２レンズ群は、物体側から像側に、像側に凹面を向けた負レンズと、負レンズと、像側に凸面を向けた正レンズと、を有し、
前記像側に凹面を向けた負レンズでは、像側面の曲率半径の絶対値が、物体側面の曲率半径の絶対値に比べて小さいことを特徴とする請求項１から２４のいずれか一項に記載のズームレンズ。
【請求項２６】
前記第１レンズ群は、広角端より望遠端で物体側に位置するように移動することを特徴とする請求項１から２５のいずれか一項に記載のズームレンズ。
【請求項２７】
前記第２レンズ群と前記第３レンズ群との間に、開口絞りが配置されていることを特徴とする請求項１から２６のいずれか一項に記載のズームレンズ。
【請求項２８】
レンズ成分は、単レンズ、接合レンズまたは複合レンズであって、前記第３レンズ群は、正の屈折力を有するレンズ成分を少なくとも２つ有することを特徴とする請求項１から２７のいずれか一項に記載のズームレンズ。
【請求項２９】
以下の条件式（２１）を満足することを特徴とする請求項１から２８のいずれか一項に記載のズームレンズ。
−２．５≦ｆt／ｅｘｐt≦０．６      （２１）
ここで、
ｆtは、望遠端における前記ズームレンズ全系の焦点距離、
ｅｘｐtは、近軸結像面から望遠端における前記ズームレンズの射出瞳までの距離、
である。
【請求項３０】
請求項１から２９のいずれか一項に記載のズームレンズと、
撮像面を有する撮像素子を備えたことを特徴とする撮像装置。
【発明の詳細な説明】
【技術分野】
【０００１】
本発明は、ズームレンズ及びそれを備えた撮像装置に関するものである。
【背景技術】
【０００２】
広画角での撮影と望遠での撮影が可能なズームレンズとして、特許文献１、２に記載されたズームレンズがある。
【先行技術文献】
【特許文献】
【０００３】
【特許文献１】特開２００３−２５５２２８号公報（第２実施例）
【特許文献２】特開平８−１９００５１号公報（第１実施例）
【発明の概要】
【発明が解決しようとする課題】
【０００４】
特許文献１のズームレンズは、変倍比が十分に大きいとはいえない。また、焦点距離に対する全長が長いので、小型なズームレンズとはいえない。【０００５】
特許文献２のズームレンズは、焦点距離に対する全長が長いので、小型なズームレンズとはいえない。【０００６】
本発明は、上記に鑑みてなされたものであって、高い変倍比を持ちながらも、諸収差が良好に補正され、なお且つ、全長が短いズームレンズ及びそれを備えた撮像装置を提供することを目的としている。
【課題を解決するための手段】
【０００７】
上述した課題を解決し、目的を達成するために、本発明のズームレンズは、
物体側から順に、
正の屈折力を有する第１レンズ群と、
負の屈折力を有する第２レンズ群と、
正の屈折力を有する第３レンズ群と、
負の屈折力を有する第４レンズ群と、
正の屈折力を有する第５レンズ群と、からなり、
第１レンズ群は正レンズを有し、
第２レンズ群は正レンズを有し、
第４レンズ群は負レンズと正レンズとからなり、
広角端から望遠端への変倍の際に、第１レンズ群、第２レンズ群、第３レンズ群、第４レンズ群、第５レンズ群のそれぞれのレンズ群の間の距離は変化し、
第４レンズ群は変倍の際に移動し、
以下の条件式（１’）、（２）、（３’’）、（４）、（７’’）、（２４）を満足することを特徴とする。
−０．０１５≦Ｔｐ2G_min_p≦０．０１４      （１’）
７０．３≦νｄ1G_max_p      （２）
１．７８≦ｎｄ2G_max_p≦２．３      （３’’）
０．３≦｜ｆ2／ｆ3｜≦０．９      （４）
５４≦νｄ2G_max_n≦９８．０      （７’’）
０．３＜｜ｆ4／ｆ5｜＜１．２      （２４）
ここで、
Ｔｐ2G_min_p＝θgF2G_p−（−０．００１６×νｄ2G_p＋０．６４１５)、
θgF2G_p＝（ｎｇ2G_p−ｎＦ2G_p）／（ｎＦ2G_p−ｎＣ2G_p)、
νｄ2G_pは、第２レンズ群の所定の正レンズのアッベ数、
ｎｇ2G_p、ｎＦ2G_p、ｎＣ2G_pは、第２レンズ群の所定の正レンズの屈折率であって、各々、ｇ線における屈折率、Ｆ線における屈折率、Ｃ線における屈折率、
第２レンズ群の所定の正レンズは、第２レンズ群の正レンズのうちでアッベ数が最も小さい正レンズ、
νｄ1G_max_pは、第１レンズ群の正レンズのアッベ数のうち、最大となるアッベ数、
ｎｄ2G_max_pは、第２レンズ群の正レンズの屈折率のうち、最大となる屈折率、
ｆ2は、第２レンズ群の焦点距離、
ｆ3は、第３レンズ群の焦点距離、
νｄ2G_max_nは、第２レンズ群の負レンズのアッベ数のうち、最大となるアッベ数、
ｆ4は、第４レンズ群の焦点距離、
ｆ5は、第５レンズ群の焦点距離、
である。
【０００８】
また、別の本発明のズームレンズは、
物体側から順に、
正の屈折力を有する第１レンズ群と、
負の屈折力を有する第２レンズ群と、
正の屈折力を有する第３レンズ群と、
負の屈折力を有する第４レンズ群と、
正の屈折力を有する第５レンズ群と、からなり、
第１レンズ群は正レンズを有し、
第２レンズ群は正レンズを有し、
第４レンズ群は負レンズと正レンズとからなり、
広角端から望遠端への変倍の際に、第１レンズ群、第２レンズ群、第３レンズ群、第４レンズ群、第５レンズ群のそれぞれのレンズ群の間の距離は変化し、
第４レンズ群は変倍の際に移動し、
以下の条件式（１’）、（２’）、（３’’）、（５’）、（７’’）、（９’）を満足することを特徴とする。
−０．０１５≦Ｔｐ2G_min_p≦０．０１４      （１’）
７０．５≦νｄ1G_max_p      （２’）
１．７８≦ｎｄ2G_max_p≦２．３      （３’’）
３．０≦ｆ1／ｆ3≦６．３      （５’）
５４≦νｄ2G_max_n≦９８．０      （７’’）
１３．２≦νｄ4G_max_n−νｄ4G_min_p≦５０      （９’）
ここで、
Ｔｐ2G_min_p＝θgF2G_p−（−０．００１６×νｄ2G_p＋０．６４１５)、
θgF2G_p＝（ｎｇ2G_p−ｎＦ2G_p）／（ｎＦ2G_p−ｎＣ2G_p)、
νｄ2G_pは、第２レンズ群の所定の正レンズのアッベ数、
ｎｇ2G_p、ｎＦ2G_p、ｎＣ2G_pは、第２レンズ群の所定の正レンズの屈折率であって、各々、ｇ線における屈折率、Ｆ線における屈折率、Ｃ線における屈折率、
第２レンズ群の所定の正レンズは、第２レンズ群の正レンズのうちでアッベ数が最も小さい正レンズ、
νｄ1G_max_pは、第１レンズ群の正レンズのアッベ数のうち、最大となるアッベ数、
ｎｄ2G_max_pは、第２レンズ群の正レンズの屈折率のうち、最大となる屈折率、
ｆ1は、第１レンズ群の焦点距離、
ｆ3は、第３レンズ群の焦点距離、
νｄ2G_max_nは、第２レンズ群の負レンズのアッベ数のうち、最大となるアッベ数、
νｄ4G_max_nは、第４レンズ群の負レンズのアッベ数のうち、最大となるアッベ数、
νｄ4G_min_pは、第４レンズ群の正レンズのアッベ数のうち、最小となるアッベ数、
である。
【００１０】
また、別の本発明のズームレンズは、
物体側から順に、
正の屈折力を有する第１レンズ群と、
負の屈折力を有する第２レンズ群と、
正の屈折力を有する第３レンズ群と、
負の屈折力を有する第４レンズ群と、
正の屈折力を有する第５レンズ群と、からなり、
第１レンズ群は正レンズを有し、
第２レンズ群は負レンズを有し、
第３レンズ群は正レンズを有し、
第４レンズ群は負レンズと正レンズとからなり、
第５レンズ群は正レンズを有し、
広角端から望遠端への変倍の際に、第１レンズ群、第２レンズ群、第３レンズ群、第４レンズ群、第５レンズ群のそれぞれのレンズ群の間の距離は変化し、
第４レンズ群は変倍の際に移動し、
以下の条件式（１’）、（２’’’）、（７）、（８）、（９）、（１０’）を満足することを特徴とする。
−０．０１５≦Ｔｐ2G_min_p≦０．０１４      （１’）
７２．０≦νｄ1G_max_p      （２’’’）
５４≦νｄ2G_max_n      （７）
６３≦νｄ3G_max_p      （８）
１．０≦νｄ4G_max_n−νｄ4G_min_p≦５０      （９）
３４．０≦νｄ5G_min_p      （１０’）
ここで、
Ｔｐ2G_min_p＝θgF2G_p−（−０．００１６×νｄ2G_p＋０．６４１５)、
θgF2G_p＝（ｎｇ2G_p−ｎＦ2G_p）／（ｎＦ2G_p−ｎＣ2G_p)、
νｄ2G_pは、第２レンズ群の所定の正レンズのアッベ数、
ｎｇ2G_p、ｎＦ2G_p、ｎＣ2G_pは、第２レンズ群の所定の正レンズの屈折率であって、各々、ｇ線における屈折率、Ｆ線における屈折率、Ｃ線における屈折率、
第２レンズ群の所定の正レンズは、第２レンズ群の正レンズのうちでアッベ数が最も小さい正レンズ、
νｄ1G_max_pは、第１レンズ群の正レンズのアッベ数のうち、最大となるアッベ数、
νｄ2G_max_nは、第２レンズ群の負レンズのアッベ数のうち、最大となるアッベ数、
νｄ3G_max_pは、第３レンズ群の正レンズのアッベ数のうち、最大となるアッベ数、
νｄ4G_max_nは、第４レンズ群の負レンズのアッベ数のうち、最大となるアッベ数、
νｄ4G_min_pは、第４レンズ群の正レンズのアッベ数のうち、最小となるアッベ数、
νｄ5G_min_pは、第５レンズ群の正レンズのアッベ数のうち、最小となるアッベ数、
である。
【００１１】
また、別の本発明のズームレンズは、
物体側から順に、
正の屈折力を有する第１レンズ群と、
負の屈折力を有する第２レンズ群と、
正の屈折力を有する第３レンズ群と、
負の屈折力を有する第４レンズ群と、
正の屈折力を有する第５レンズ群と、からなり、
第１レンズ群は正レンズを有し、
第２レンズ群は負レンズを有し、
第３レンズ群は正レンズを有し、
第４レンズ群は負レンズと正レンズとからなり、
第２レンズ群は、像側に凹面を向けた負レンズを、最も物体側に有し、
最も物体側の負レンズでは、像側面の曲率半径の絶対値が、物体側面の曲率半径の絶対値に比べて小さく、
広角端から望遠端への変倍の際に、第１レンズ群、第２レンズ群、第３レンズ群、第４レンズ群、第５レンズ群のそれぞれのレンズ群の間の距離は変化し、
第４レンズ群は変倍の際に移動し、
以下の条件式（１’）、（２）、（７’）、（８’）、（１０）、（１１）、（１２）を満足する
ことを特徴とする。
−０．０１５≦Ｔｐ2G_min_p≦０．０１４      （１’）
７０．３≦νｄ1G_max_p      （２）
５５≦νｄ2G_max_n      （７’）
７０．５≦νｄ3G_max_p      （８’）
２３≦νｄ5G_min_p      （１０）
−０．０１２≦Ｔｐ2G_max_n≦  ０．０６      （１１）
１．７８≦ｎｄ2G_max_n≦２．３      （１２）
ここで、
Ｔｐ2G_min_p＝θgF2G_p−（−０．００１６×νｄ2G_p＋０．６４１５)、
θgF2G_p＝（ｎｇ2G_p−ｎＦ2G_p）／（ｎＦ2G_p−ｎＣ2G_p)、
νｄ2G_pは、第２レンズ群の所定の正レンズのアッベ数、
ｎｇ2G_p、ｎＦ2G_p、ｎＣ2G_pは、第２レンズ群の所定の正レンズの屈折率であって、各々、ｇ線における屈折率、Ｆ線における屈折率、Ｃ線における屈折率、
第２レンズ群の所定の正レンズは、第２レンズ群の正レンズのうちでアッベ数が最も小さい正レンズ、
νｄ1G_max_pは、第１レンズ群の正レンズのアッベ数のうち、最大となるアッベ数、
νｄ2G_max_nは、第２レンズ群の負レンズのアッベ数のうち、最大となるアッベ数、
νｄ3G_max_pは、第３レンズ群の正レンズのアッベ数のうち、最大となるアッベ数、
νｄ5G_min_pは、第５レンズ群の正レンズのアッベ数のうち、最小となるアッベ数、
Ｔｐ2G_max_n＝θgF2G_n−（−０．００１６×νｄ2G_n＋０．６４１５)、
θgF2G_n＝（ｎｇ2G_n−ｎＦ2G_n）／（ｎＦ2G_n−ｎＣ2G_n)、
νｄ2G_nは、第２レンズ群の所定の負レンズのアッベ数、
ｎｇ2G_n、ｎＦ2G_n、ｎＣ2G_nは第２レンズ群の所定の負レンズの屈折率であって、各々、ｇ線における屈折率、Ｆ線における屈折率、Ｃ線における屈折率、
第２レンズ群の所定の負レンズは、第２レンズ群の負レンズのうちでアッベ数が最も大きい負レンズ、
ｎｄ2G_max_ｎは、第２レンズ群の負レンズの屈折率のうち、最大となる屈折率、
である。
【００１２】
また、本発明の撮像装置は、
上記のズームレンズと、
撮像面を有する撮像素子を備えたことを特徴とする。
【発明の効果】
【００１３】
本発明によれば、広い画角と高い変倍比を持ちながらも、諸収差が良好に補正され、なお且つ、全長が短いズームレンズ及びそれを備えた撮像装置を提供できる。
【図面の簡単な説明】
【００１４】
【図１】実施例１に係るズームレンズの無限遠物体合焦時のレンズ断面図であって、（ａ）は広角端、（ｂ）は中間、（ｃ）は望遠端でのレンズ断面図である。
【図２】実施例２に係るズームレンズの無限遠物体合焦時のレンズ断面図であって、（ａ）は広角端、（ｂ）は中間、（ｃ）は望遠端でのレンズ断面図である。
【図３】実施例３に係るズームレンズの無限遠物体合焦時のレンズ断面図であって、（ａ）は広角端、（ｂ）は中間、（ｃ）は望遠端でのレンズ断面図である。
【図４】実施例４に係るズームレンズの無限遠物体合焦時のレンズ断面図であって、（ａ）は広角端、（ｂ）は中間、（ｃ）は望遠端でのレンズ断面図である。
【図５】実施例５に係るズームレンズの無限遠物体合焦時のレンズ断面図であって、（ａ）は広角端、（ｂ）は中間、（ｃ）は望遠端でのレンズ断面図である。
【図６】実施例６に係るズームレンズの無限遠物体合焦時のレンズ断面図であって、（ａ）は広角端、（ｂ）は中間、（ｃ）は望遠端でのレンズ断面図である。
【図７】実施例７に係るズームレンズの無限遠物体合焦時のレンズ断面図であって、（ａ）は広角端、（ｂ）は中間、（ｃ）は望遠端でのレンズ断面図である。
【図８】実施例８に係るズームレンズの無限遠物体合焦時のレンズ断面図であって、（ａ）は広角端、（ｂ）は中間、（ｃ）は望遠端でのレンズ断面図である。
【図９】実施例９に係るズームレンズの無限遠物体合焦時のレンズ断面図であって、（ａ）は広角端、（ｂ）は中間、（ｃ）は望遠端でのレンズ断面図である。
【図１０】実施例１０に係るズームレンズの無限遠物体合焦時のレンズ断面図であって、（ａ）は広角端、（ｂ）は中間、（ｃ）は望遠端でのレンズ断面図である。
【図１１】実施例１１に係るズームレンズの無限遠物体合焦時のレンズ断面図であって、（ａ）は広角端、（ｂ）は中間、（ｃ）は望遠端でのレンズ断面図である。
【図１２】実施例１２に係るズームレンズの無限遠物体合焦時のレンズ断面図であって、（ａ）は広角端、（ｂ）は中間、（ｃ）は望遠端でのレンズ断面図である。
【図１３】実施例１３に係るズームレンズの無限遠物体合焦時のレンズ断面図であって、（ａ）は広角端、（ｂ）は中間、（ｃ）は望遠端でのレンズ断面図である。
【図１４】実施例１４に係るズームレンズの無限遠物体合焦時のレンズ断面図であって、（ａ）は広角端、（ｂ）は中間、（ｃ）は望遠端でのレンズ断面図である。
【図１５】実施例１５に係るズームレンズの無限遠物体合焦時のレンズ断面図であって、（ａ）は広角端、（ｂ）は中間、（ｃ）は望遠端でのレンズ断面図である。
【図１６】実施例１にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１７】実施例２にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１８】実施例３にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１９】実施例４にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２０】実施例５にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２１】実施例６にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２２】実施例７にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２３】実施例８にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２４】実施例９にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２５】実施例１０にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２６】実施例１１にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２７】実施例１２にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２８】実施例１３にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２９】実施例１４にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３０】実施例１５にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３１】撮像装置の断面図である。
【図３２】撮像装置の概観を示す前方斜視図である。
【図３３】撮像装置の後方斜視図である。
【図３４】撮像装置の主要部の内部回路の構成ブロック図である。
【発明を実施するための形態】
【００１５】
実施例の説明に先立ち、本発明のある態様にかかる実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００１６】
本実施形態のズームレンズが備える基本構成について説明する。基本構成には、第１の基本構成と第２の基本構成がある。
【００１７】
第１の基本構成について説明する。第１の基本構成では、ズームレンズは、物体側から順に、正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、を有し、第１レンズ群は正レンズを有し、第２レンズ群は正レンズを有し、以下の条件式（１）を満足する。
−０．０１５≦Ｔｐ2G_min_p≦０．０１５      （１）
ここで、
Ｔｐ2G_min_p＝θgF2G_p−（−０．００１６×νｄ2G_p＋０．６４１５)、
θgF2G_p＝（ｎｇ2G_p−ｎＦ2G_p）／（ｎＦ2G_p−ｎＣ2G_p)、
νｄ2G_pは、第２レンズ群の所定の正レンズのアッベ数、
ｎｇ2G_p、ｎＦ2G_p、ｎＣ2G_pは、第２レンズ群の所定の正レンズの屈折率であって、各々、ｇ線における屈折率、Ｆ線における屈折率、Ｃ線における屈折率、
第２レンズ群の所定の正レンズは、第２レンズ群の正レンズのうちでアッベ数が最も小さい正レンズ、
である。
【００１８】
ズームレンズは、広角端における広い画角と、高い変倍比と、を有することが好ましい。広い画角とは、例えば、半画角で３８度、更には４０度を越える画角である。このような広い画角は、超広角と呼ばれることもある。また、高い変倍比とは、例えば、６倍を超える変倍比である。ただし、画角の値や変倍比の値は、これらの値に限定されない。
【００１９】
広角端において広い画角を確保すると共に、光学系の全長を短縮し、更に、高い変倍比を得るには、広角端から望遠端にかけて、光学系における屈折力配置を、より対称に近い配置にする必要がある。屈折力配置とは、屈折力の正負の並びのことである。
【００２０】
第１の基本構成では、ズームレンズは、物体側から順に、正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、を有する。
【００２１】
この場合、屈折力配置は、第３レンズ群より物体側で正屈折力、負屈折力となり、像側で負屈折力、正屈折力となる。すなわち、第１の基本構成を備えるズームレンズでは、第３レンズ群を挟んで物体側の屈折力配置と像側の屈折力配置とが対称になる。その結果、変倍域の全域で、光学系の全長の短縮することと、主に像面湾曲やコマ収差を良好に補正することが可能になる。
【００２２】
また、第１の基本構成では、各レンズ群のなかで第１レンズ群の径が最大になる。ここで、第４レンズ群が負の屈折力を有し、第５レンズ群が正の屈折力を有しているので、第４レンズ群と第５レンズ群とで拡大光学系を構成することができる。そのため、第１レンズ群におけるレンズ径の小径化が可能になる。
【００２３】
このように、第１の基本構成によれば、広角端における広い画角と、高い変倍比と、を有するズームレンズにおいて、光学系を小型化でき、また、良好な結像性能を確保することができる。
【００２４】
また、第１の基本構成では、主に、第２レンズ群と第３レンズ群が変倍作用を担っている。そこで、変倍比を高めると共に光学系の全長を短縮するためには、第２レンズ群の屈折力と第３レンズ群の屈折力を、共に大きくすることが好ましい。
【００２５】
第２レンズ群では、主に、広角端付近で倍率色収差が発生し、望遠端付近で軸上色収差が発生する。負の屈折力を有する第２レンズ群の色収差を補正するには、第２レンズ群に用いられる正レンズのアッベ数をなるべく高分散側にする必要がある。アッベ数を高分散側にするとは、アッベ数を小さくする、又は、分散を大きくするということである。
【００２６】
しかしながら、正レンズのアッベ数を高分散側にした状態で第２レンズ群の屈折力を大きくすると、それにより２次スペクトルが大きく発生する場合がある。そこで、変倍域の全域で色収差を良好に抑えた状態を保つには、第２レンズ群内の正レンズに、２次スペクトルの発生を軽減できる特性を持つ硝材を使うことが有効となる。
【００２７】
このようなことから、第１の基本構成では、所定のレンズが条件式（１）を満足するようにしている。所定のレンズが条件式（１）を満足することで、第２レンズ群の屈折力を大きくしても、２次スペクトルの増大を抑えることができる。
【００２８】
条件式（１）の下限値を下回らないようにすることで、第２レンズ群内で発生する２次スペクトルを十分に補正できる。この場合、軸上色収差や倍率色収差の発生の増大を抑制できるので、良好な結像性能が得られる。条件式（１）の上限値を上回らないようにすることで、第２レンズ群内での２次スペクトルの補正が過剰になる傾向を弱めることができるので、軸上色収差と倍率色収差をバランスよく補正することができる。
【００２９】
第２の基本構成について説明する。第２の基本構成では、ズームレンズは、物体側から順に、正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、を有し、第１レンズ群は正レンズを有し、第２レンズ群は負レンズを有し、第３レンズ群は正レンズを有し、以下の条件式（２）を満足する。
７０．３≦νｄ1G_max_p      （２）
ここで、
νｄ1G_max_pは、第１レンズ群の正レンズのアッベ数のうち、最大となるアッベ数、
である。
【００３０】
第２の基本構成では、ズームレンズは、物体側から順に、正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、を有する。この構成は、第１の基本構成でも用いられている。よって、第１の基本構成で説明した作用効果と同じ作用効果が、第２の基本構成においても得られる。
【００３１】
上述のように、ズームレンズは、広角端における広い画角と、高い変倍比と、を有することが好ましい。特に、変倍比が大きいズームレンズ、例えば、変倍比が６倍を超えるようなズームレンズにおいては、主に、広角端での倍率色収差の発生量と望遠端での軸上色収差の発生量が、共に増大する場合がある。第１レンズ群の望遠端付近で発生する色収差は、第１レンズ群よりも像側に位置するレンズ群で大きく拡大されることになる。そこで、条件式（２）を満足することで、色収差の発生を抑制することができる。
【００３２】
条件式（２）の下限値を下回らないようにすることで、第１レンズ群内で軸上色収差の補正が不足することを防止できる。そのため、望遠端付近での軸上色収差の発生の増大を抑えることができる。その結果、良好な結像性能を得ることができる。
【００３３】
第１実施形態のズームレンズ〜第５実施形態のズームレンズについて説明する。
【００３４】
第１実施形態のズームレンズは、第１の基本構成を備え、以下の条件式（２）、（３）、（４）を満足することを特徴とする。
７０．３≦νｄ1G_max_p      （２）
１．７６≦ｎｄ2G_max_p≦２．３      （３）
０．３≦｜ｆ2／ｆ3｜≦０．９      （４）
ここで、
νｄ1G_max_pは、第１レンズ群の正レンズのアッベ数のうち、最大となるアッベ数、
ｎｄ2G_max_pは、第２レンズ群の正レンズの屈折率のうち、最大となる屈折率、
ｆ2は、第２レンズ群の焦点距離、
ｆ3は、第３レンズ群の焦点距離、
である。
【００３５】
条件式（２）の技術的意義は既に説明したので、ここでの説明は省略する。
【００３６】
光学系の小型化のためには、第２レンズ群の屈折力を大きくすることが好ましい。第２レンズ群の屈折力を大きくすると、主に、非点収差と球面収差が悪化する場合がある。これらの収差の悪化を防ぐためには、第２レンズ群に正レンズと負レンズを配置し、各レンズの屈折率を大きくすることが望ましい。このとき、条件式（３）を満足することが好ましい。
【００３７】
条件式（３）の下限値を下回らないようにすることで、変倍域の全域で、像面湾曲の変動と球面収差の変動が、共に増大することを抑えることができる。その結果、良好な結像性能が得られる。条件式（３）の上限値を上回らないようにすることで、ペッツバール面がプラスに倒れる傾向を弱めることができるので、像面湾曲の増大を抑えることができる。
【００３８】
また、上述のように、変倍比を高めると共に光学系の全長を短縮するためには、第２レンズ群の屈折力と第３レンズ群の屈折力を、共に大きくすることが好ましい。しかしながら、第２レンズ群の負の屈折力を大きくすると、第２レンズ群の入射側面での光線に対する屈折作用が強くなる。そのため、第１レンズ群の径が増加する傾向となる。
【００３９】
光学系の全長を短縮すると共に、光学系を小径化するには、第２レンズ群の屈折力と第３レンズ群の屈折力を、共に大きくしながらも、両者の屈折力をバランスさせることが好ましい。そこで、条件式（４）を満足することが好ましい。
【００４０】
条件式（４）の下限値を下回らないようにすることで、光学系の小径化が容易になる。また、第２レンズ群の屈折力が大きくなりすぎないので、像面湾曲の発生を抑え易くなる。条件式（４）の上限値を上回らないようにすることで、光学系の全長の短縮が容易になる。また、第３レンズ群の屈折力が大きくなりすぎないので、広角端から望遠端にかけて球面収差の発生を抑え易くなる。
【００４１】
第２実施形態のズームレンズは、第１の基本構成を備え、以下の条件式、（２’）、（３’）、（５）を満足することを特徴とする。
７０．５≦νｄ1G_max_p      （２’）
１．７≦ｎｄ2G_max_p≦２．３      （３’）
２．０≦ｆ1／ｆ3≦６．３      （５）
ここで、
νｄ1G_max_pは、第１レンズ群の正レンズのアッベ数のうち、最大となるアッベ数、
ｎｄ2G_max_pは、第２レンズ群の正レンズの屈折率のうち、最大となる屈折率、
ｆ1は、第１レンズ群の焦点距離、
ｆ3は、第３レンズ群の焦点距離、
である。
【００４２】
条件式（２’）の技術的意義は、条件式（２）の技術的意義と同じである。また、条件式（３’）の技術的意義は、条件式（３）の技術的意義と同じである。
【００４３】
上述のように、第１の基本構成では、主に、第２レンズ群と第３レンズ群が変倍作用を担っているが、第１レンズ群も変倍作用の増大に寄与する。このようなことから、変倍比を高めると共に光学系の全長を短縮するためには、第１レンズ群の屈折力も大きくすることが好ましい。
【００４４】
しかしながら、第１レンズ群の屈折力を大きくすると、第１レンズ群に対する入射瞳の位置が更に像側に移動して、第１レンズ群から離れるので、第１レンズ群の径が増大する。よって、光学系の全長を短縮すると共に、光学系を小径化するには、第１レンズ群の屈折力と第３レンズ群の屈折力を、共に大きくしながらも、両者の屈折力のバランスをとることが好ましい。そこで、条件式（５）を満足すことが好ましい。
【００４５】
条件式（５）の下限値を下回らないようにすることで、光学系の小径化が容易になるか、又は、光学系の全長の短縮が容易になる。また、第１レンズ群の屈折力が大きくなりすぎないので、収差が発生しにくくなる。条件式（５）の上限値を上回らないようにすることで、光学系の全長の短縮が容易になるか、又は、適切なバックフォーカスの確保が容易になる。また、第３群レンズ群の屈折力が大きくなりすぎないので、収差が発生しにくくなる。
【００４６】
第３実施形態のズームレンズは、第１の基本構成を備え、以下の条件式、（２”）、（３’）、（６）を満足することを特徴とする。
６４≦νｄ1G_max_p      （２”）
１．７≦ｎｄ2G_max_p≦２．３      （３’）
１．０５≦｜Φmaxt／ｆ2｜≦３．０      （６）
ここで、
νｄ1G_max_pは、第１レンズ群の正レンズのアッベ数のうち、最大となるアッベ数、
ｎｄ2G_max_pは、第２レンズ群の正レンズの屈折率のうち、最大となる屈折率、
Φmaxtは、望遠端における入射瞳の最大直径であって、Φmaxt＝ｆt／Ｆｎｏtで表され、
ｆtは、望遠端におけるズームレンズ全系の焦点距離、
Ｆｎｏtは、望遠端における最小Ｆナンバー、
ｆ2は、第２レンズ群の焦点距離、
である。
【００４７】
条件式（２”）の技術的意義は、条件式（２）の技術的意義と同じである。また、条件式（３’）の技術的意義は、条件式（３）の技術的意義と同じである。
【００４８】
上述のように、光学系の小型化のためには、第２レンズ群の屈折力を大きくする必要がある。しかしながら、第２レンズ群の屈折力を大きくすると、主に、球面収差、像面湾曲、倍率色収差及び軸上色収差の発生量が大きくなる。そこで、これらの収差の発生を抑えて、Ｆナンバーを小さくするためには、条件式（６）を満足することが好ましい。条件式（６）を満足することで、Ｆナンバーが小さい光学系を実現することができる。
【００４９】
条件式（６）の下限値を下回らないようにすることで、光学系の全長の短縮が容易になる。条件式（６）の上限値を上回らないようにすることで、第２レンズ群における収差の増大、主に、球面収差、像面湾曲、倍率色収差及び軸上色収差の発生量の増大を抑えることができる。この場合、第２レンズ群において、収差補正のためにレンズを増やす必要がないので、光学系の小型化が図れる。
【００５０】
第４実施形態のズームレンズは、第２の基本構成を備え、以下の条件式、（７）、（８）、（９）、（１０）を満足することを特徴とする。
５４≦νｄ2G_max_n      （７）
６３≦νｄ3G_max_p      （８）
１．０≦νｄ4G_max_n−νｄ4G_min_p≦５０      （９）
２３≦νｄ5G_min_p      （１０）
ここで、
νｄ2G_max_nは、第２レンズ群の負レンズのアッベ数のうち、最大となるアッベ数、
νｄ3G_max_pは、第３レンズ群の正レンズのアッベ数のうち、最大となるアッベ数、
νｄ4G_max_nは、第４レンズ群の負レンズのアッベ数のうち、最大となるアッベ数、
νｄ4G_min_pは、第４レンズ群の正レンズのアッベ数のうち、最小となるアッベ数、
νｄ5G_min_pは、第５レンズ群の正レンズのアッベ数のうち、最小となるアッベ数、
である。
【００５１】
上述のように、光学系の全長を短縮するためには、第２レンズ群の屈折力を大きくすることが好ましい。しかしながら、第２レンズ群の屈折力を大きくすると、主に、広角端付近で倍率色収差が発生し、望遠端付近で軸上色収差が発生する場合がある。負の屈折力を有する第２レンズ群の色収差を補正するためには、第２レンズ群に用いられる正レンズのアッベ数を高分散側にすると共に、負レンズのアッベ数を低分散側にすることが好ましい。そこで、条件式（７）を満足することが好ましい。
【００５２】
条件式（７）の下限値を下回らないようにすることで、広角端付近での倍率色収差と望遠端付近での軸上色収差を、共に十分に補正することができる。その結果、良好な結像性能を得ることができる。
【００５３】
また、光学系の全長を短縮するためには、第３レンズ群では屈折力を大きくすることが好ましい。しかしながら、第３レンズ群の屈折力を大きくすると、主に、望遠端付近で軸上色収差が発生する場合がある。正の屈折力を有する第３レンズ群の色収差を補正するためには、第３レンズ群に用いられる正レンズのアッベ数を低分散側にすると共に、負レンズのアッベ数を高分散側にすることが好ましい。そこで、条件式（８）を満足することが好ましい。
【００５４】
条件式（８）の下限値を下回らないようにすることで、望遠端付近での軸上色収差を十分に補正することができる。その結果、良好な性能を得ることができる。又は、第３レンズ群の屈折力が小さくなりすぎないので、光学系の全長の短縮が容易になる。
【００５５】
また、負の屈折力を有する第４レンズ群では、正の屈折力を有する第５レンズ群との組合せによって、主に、像面湾曲を補正する作用を強めることができる。これにより、変倍域の全域で、良好な結像性能を確保することが可能になる。
【００５６】
一方、第４レンズ群の結像倍率が大きくなることで、主に、軸上色収差や球面収差の発生量が大きくなる場合がある。変倍域の全域で良好な結像性能を確保するためには、これらの収差の補正をすることが好ましい。そこで、条件式（９）を満足することが好ましい。
【００５７】
条件式（９）の下限値を下回らないようにすることで、軸上色収差を十分に補正することができる。その結果、良好な結像性能を得ることができる。条件式（９）の上限値を上回らないようにすることで、色収差の補正と球面収差の補正を両立させることが容易になる。その結果、変倍域の全域で良好な性能が得られる。
【００５８】
条件式（１０）下限値を下回らないようにすることで、第５レンズ群内での色収差の増大を抑えることができる。その結果、良好な結像性能の確保が容易になる。また、色収差の増大が抑えられるので、負レンズのアッベ数を正レンズのアッベ数よりも小さくする（分散を高くする）必要がない。この場合、負レンズの部分分散が増加しないので、色収差の補正が容易になる。
【００５９】
第５実施形態のズームレンズは、第２の基本構成を備え、第２レンズ群は、像側に凹面を向けた負レンズを、最も物体側に有し、最も物体側の負レンズでは、像側面の曲率半径の絶対値が、物体側面の曲率半径の絶対値に比べて小さく、以下の条件式（７’）、（８’）、（１１）、（１２）を満足することを特徴とする。
５５≦νｄ2G_max_n      （７’）
７０．５≦νｄ3G_max_p      （８’）
−０．０１２≦Ｔｐ2G_max_n≦  ０．０６      （１１）
１．７８≦ｎｄ2G_max_n≦２．３      （１２）
ここで、
νｄ2G_max_nは、第２レンズ群の負レンズのアッベ数のうち、最大となるアッベ数、
νｄ3G_max_pは、第３レンズ群の正レンズのアッベ数のうち、最大となるアッベ数、
Ｔｐ2G_max_n＝θgF2G_n−（−０．００１６×νｄ2G_n＋０．６４１５)、
θgF2G_n＝（ｎｇ2G_n−ｎＦ2G_n）／（ｎＦ2G_n−ｎＣ2G_n)、
νｄ2G_nは、第２レンズ群の所定の負レンズのアッベ数、
ｎｇ2G_n、ｎＦ2G_n、ｎＣ2G_nは第２レンズ群の所定の負レンズの屈折率であって、各々、ｇ線における屈折率、Ｆ線における屈折率、Ｃ線における屈折率、
第２レンズ群の所定の負レンズは、第２レンズ群の負レンズのうちでアッベ数が最も大きい負レンズ、
ｎｄ2G_max_ｎは、第２レンズ群の負レンズの屈折率のうち、最大となる屈折率、
である。
【００６０】
条件式（７’）の技術的意義は、条件式（７）の技術的意義と同じである。また、条件式（８’）の技術的意義は、条件式（８）の技術的意義と同じである。
【００６１】
第２レンズ群では、主に、広角端付近で倍率色収差が発生し、望遠端付近で軸上色収差が発生する場合がある。負の屈折力を有する第２レンズ群の色収差の発生を抑えるには、第２レンズ群に用いられる正レンズのアッベ数をなるべく高分散側にすることが好ましい。
【００６２】
しかしながら、正レンズのアッベ数を高分散側にした状態で第２レンズ群の屈折力を大きくすると、それにより２次スペクトルが大きく発生する傾向が強まる。そのため、変倍域の全域で色収差を良好に抑えた状態を保つには、第２レンズ群内の負レンズに、２次スペクトルを補正できる特性を持つ硝材を使うことが有効となる。そこで、条件式（１１）を満足することが好ましい。
【００６３】
条件式（１１）の下限値を下回らないようにすることで、第２レンズ群内で発生する２次スペクトルを十分に補正できる。この場合、軸上色収差や倍率色収差の発生の増大を抑制できるので、良好な結像性能が得られる。条件式（１１）の上限値を上回らないようにすることで、第２レンズ群内での２次スペクトルの補正が過剰になるという傾向を弱めることができるので、軸上色収差と倍率色収差をバランスよく補正することができる。
【００６４】
Ｆナンバーを小さくすると共に、高変倍化と光学系の全長の短縮を図るには、第２レンズ群の屈折力を大きくする必要がある。しかしながら、第２レンズ群の最も物体側では、変倍時の光線高の変化が大きくなる場合がある。光線高の変化が大きいと、最も物体側のレンズにおける光線の屈折角の変化も急激になる。そのため、第２レンズ群の屈折力を大きくすると、これにより主に、変倍時の像面湾曲の変動が大きくなる。
【００６５】
そこで、第２レンズ群の最も物体側に、像側に凹面を向けた負レンズを配置することが好ましい。そして、この負レンズの像側面の曲率半径の絶対値を、物体側面の曲率半径の絶対値に比べて小さくすることが好ましい。このようにすることで、変倍時にレンズ面で光線の屈折角が急激に変化することを緩和できる。その結果、変倍時の像面湾曲の変動を少なくすることができる。
【００６６】
そして、条件式（１２）を満足することで、変倍時の像面湾曲の変動を更に少なくすることができる。その結果、良好な結像性能を維持しつつ、変倍域の全域でＦナンバーを小さくすると共に、高変倍化を行うことができる。小さいＦナンバーとは、例えば、５．０以下のＦナンバー、高い変倍比とは、例えば、６倍を超える変倍比である。
【００６７】
条件式（１２）の下限値を下回らないようにすることで、像面湾曲の補正効果を十分に得ることができる。条件式（１２）の上限値を上回らないようにすることで、像面が全体的にマイナス側に傾いてしまう傾向を小さくできる。その結果、良好な結像性能を得ることができる。
【００６８】
また、第１実施形態〜第５実施形態のズームレンズ（以下、「本実施形態のズームレンズ」という）は、以下の条件式（４）を満足することが好ましい。
０．３≦｜ｆ2／ｆ3｜≦０．９      （４）
ここで、
ｆ2は、第２レンズ群の焦点距離、
ｆ3は、第３レンズ群の焦点距離、
である。
【００６９】
条件式（４）の技術的意義は既に説明したので、ここでの説明は省略する。
【００７０】
また、本実施形態のズームレンズは、以下の条件式（５）を満足することが好ましい。
２．０≦ｆ1／ｆ3≦６．３      （５）
ここで、
ｆ1は、第１レンズ群の焦点距離、
ｆ3は、第３レンズ群の焦点距離、
である。
【００７１】
条件式（５）の技術的意義は既に説明したので、ここでの説明は省略する。
【００７２】
また、本実施形態のズームレンズは、以下の条件式（６）を満足することが好ましい。
１．０５≦｜Φmaxt／ｆ2｜≦３．０      （６）
ここで、
Φmaxtは、望遠端における入射瞳の最大直径であって、Φmaxt＝ｆt／Ｆｎｏtで表され、
ｆtは、望遠端におけるズームレンズ全系の焦点距離、
Ｆｎｏtは、望遠端における最小Ｆナンバー、
ｆ2は、第２レンズ群の焦点距離、
である。
【００７３】
条件式（６）の技術的意義は既に説明したので、ここでの説明は省略する。
【００７４】
また、本実施形態のズームレンズでは、第２レンズ群は少なくとも負レンズと正レンズを有し、以下の条件式（７）を満足することが好ましい。
５４≦νｄ2G_max_n      （７）
ここで、
νｄ2G_max_nは、第２レンズ群の負レンズのアッベ数のうち、最大となるアッベ数、
である。
【００７５】
条件式（７）の技術的意義は既に説明したので、ここでの説明は省略する。
【００７６】
また、本実施形態のズームレンズは、以下の条件式（１１）を満足することが好ましい。
−０．０１２≦Ｔｐ2G_max_n≦  ０．０６      （１１）
ここで、
Ｔｐ2G_max_n＝θgF2G_n−（−０．００１６×νｄ2G_n＋０．６４１５)、
θgF2G_n＝（ｎｇ2G_n−ｎＦ2G_n）／（ｎＦ2G_n−ｎＣ2G_n)、
νｄ2G_nは、第２レンズ群の所定の負レンズのアッベ数、
ｎｇ2G_n、ｎＦ2G_n、ｎＣ2G_nは第２レンズ群の所定の負レンズの屈折率であって、各々、ｇ線における屈折率、Ｆ線における屈折率、Ｃ線における屈折率、
第２レンズ群の所定の負レンズは、第２レンズ群の負レンズのうちでアッベ数が最も大きい負レンズ、
である。
【００７７】
条件式（１１）の技術的意義は既に説明したので、ここでの説明は省略する。
【００７８】
また、本実施形態のズームレンズは、以下の条件式（８）を満足することが好ましい。
６３≦νｄ3G_max_p      （８）
ここで、
νｄ3G_max_pは、第３レンズ群の正レンズのアッベ数のうち、最大となるアッベ数、
である。
【００７９】
条件式（８）の技術的意義は既に説明したので、ここでの説明は省略する。
【００８０】
また、本実施形態のズームレンズは、以下の条件式（１３）を満足することが好ましい。
０．００５≦Ｔｐ3G_max_p≦０．０６      （１３）
ここで、
Ｔｐ3G_max_p＝θgF3G_p−（−０．００１６×νｄ3G_p＋０．６４１５)、
θgF3G_p＝（ｎｇ3G_p−ｎＦ3G_p）／（ｎＦ3G_p−ｎＣ3G_p)、
νｄ3G_pは、第３レンズ群の所定の正レンズのアッベ数、
ｎｇ3G_p、ｎＦ3G_p、ｎＣ3G_pは第３レンズ群の所定の正レンズの屈折率であって、各々、ｇ線における屈折率、Ｆ線における屈折率、Ｃ線における屈折率、
第３レンズ群の所定の正レンズは、第３レンズ群の正レンズのうちでアッベ数が最も大きい正レンズ、
である。
【００８１】
光学系の全長を短縮するためには、第３レンズ群では屈折力を大きくすることが好ましい。しかしながら、第３レンズ群の屈折力を大きくすると、主に、望遠端付近で軸上色収差が発生する場合がある。正の屈折力を有する第３レンズ群の色収差を補正するには、第３レンズ群に用いられる正レンズのアッベ数を低分散側にすると共に、負レンズのアッベ数を高分散側にすることが好ましい。
【００８２】
しかしながら、このようにした状態で第３レンズ群の屈折力を大きくすると、それにより２次スペクトルと球面収差が大きく発生する傾向が強まる。そのため、変倍域の全域で色収差を良好に抑えた状態を保つには、第３レンズ群内の正レンズに、２次スペクトルの発生と球面収差の発生を軽減できる特性を持つ硝材を使うことが有効となる。そこで、条件式（１３）を満足することが好ましい。
【００８３】
条件式（１３）の下限値を下回らないようにすることで、第３レンズ群内で発生する２次スペクトルを十分に補正できる。この場合、軸上色収差や倍率色収差の発生の増大を抑制できるので、良好な結像性能が得られる。条件式（１３）の上限値を上回らないようにすることで、第３レンズ群内での２次スペクトルの補正が過剰になる傾向を弱めることができる。その結果、少ないレンズ枚数で、２次スペクトルと球面収差をバランスよく補正することができる。
【００８４】
また、本実施形態のズームレンズは、以下の条件式（９）を満足することが好ましい。
１．０≦νｄ4G_max_n−νｄ4G_min_p≦５０      （９）
ここで、
νｄ4G_max_nは、第４レンズ群の負レンズのアッベ数のうち、最大となるアッベ数、
νｄ4G_min_pは、第４レンズ群の正レンズのアッベ数のうち、最小となるアッベ数、
である。
【００８５】
条件式（９）の技術的意義は既に説明したので、ここでの説明は省略する。
【００８６】
また、本実施形態のズームレンズは、以下の条件式（１４）を満足することが好ましい。
１．０≦ＬＴＬt／ｆt≦２．８      （１４）
ここで、
ＬＴＬtは、望遠端におけるズームレンズ全系の全長、
ｆtは、望遠端におけるズームレンズ全系の焦点距離、
である。
【００８７】
条件式（１４）の下限値を下回らないようにすることで、変倍時に各レンズ群が移動する際のスペースを十分に得ることができる。その結果、例えば、６倍を超えるような高い変倍比を得ることができる。また、各レンズの群の屈折力を無理に大きくする必要がないので、収差の悪化を抑えることができる。
【００８８】
条件式（１４）の上限値を上回らないようにすることで、望遠端での第１レンズ群の径の増大を抑えることができる。その結果、光学系の全長の短縮と光学系の径の小型化が容易になる。又は、第１レンズ群の移動量の増大を抑えると共に、移動するレンズ群の枠数が増えないようにできるので、光学系の小径化が容易になる。
【００８９】
また、本実施形態のズームレンズは、以下の条件式（１５）を満足することが好ましい。
０．７≦ＬＴＬw／ｆt≦２．２      （１５）
ここで、
ＬＴＬwは、広角端におけるズームレンズ全系の全長、
ｆtは、望遠端におけるズームレンズ全系の焦点距離、
である。
【００９０】
条件式（１５）の下限値を下回らないようにすることで、変倍時に各レンズ群が移動する際のスペースを十分に得ることができる。その結果、例えば、６倍を超えるような高い変倍比を得ることができる。また、第１レンズ群の移動量の増大を抑えると共に、移動するレンズ群の枠数が増えないようにできるので、光学系の小径化が容易になる。また、無理に各レンズの群の屈折力を大きくする必要がないので、収差の悪化を抑えることができる。
【００９１】
条件式（１５）の上限値を上回らないようにすることで、広角端での第１レンズ群の径の増大、又は、第２レンズ群の径の増大を抑えることができる。その結果、光学系の径の小型化が容易になる。
【００９２】
また、本実施形態のズームレンズは、以下の条件式（１６）を満足することが好ましい。
０．７≦ｆ1／ｆt≦１．６      （１６）
ここで、
ｆ1は、第１レンズ群の焦点距離、
ｆtは、望遠端におけるズームレンズ全系の焦点距離、
である。
【００９３】
条件式（１６）の下限値を下回らないようにすることで、第１レンズ群の屈折力が大きくなりすぎない。その結果、第１レンズ群の小径化が容易になる。また、第１レンズ群の屈折力が大きくなりすぎないので、色収差の発生を抑えることができる。条件式（１６）の上限値を上回らないようにすることで、第１レンズ群の屈折力が小さくなりすぎない。そのため、光学系の全長の短縮が容易になる。
【００９４】
また、本実施形態のズームレンズは、以下の条件式（１７）を満足することが好ましい。
０．００５≦Ｔｐ1G_max_p≦０．０６      （１７）
ここで、
Ｔｐ1G_max_p＝θgF1G_p−（−０．００１６×νｄ1G_p＋０．６４１５)、
θgF1G_p＝（ｎｇ1G_p−ｎＦ1G_p）／（ｎＦ1G_p−ｎＣ1G_p)、
νｄ1G_pは、第１レンズ群の所定の正レンズのアッベ数、
ｎｇ1G_p、ｎＦ1G_p、ｎＣ1G_pは第１レンズ群の所定の正レンズの屈折率であって、各々、ｇ線における屈折率、Ｆ線における屈折率、Ｃ線における屈折率、
第１レンズ群の所定の正レンズは、第１レンズ群の正レンズのうちでアッベ数が最も大きい正レンズ、
である。
【００９５】
光学系の全長を短縮するためには、第１レンズ群では屈折力を大きくすることが好ましい。しかしながら、第１レンズ群の屈折力を大きくすると、主に、望遠端付近で軸上色収差が発生する場合がある。正の屈折力を有する第１レンズ群の色収差を補正するには、第１レンズ群に用いられる正レンズのアッベ数を低分散側にすると共に、負レンズのアッベ数を高分散側にすることが好ましい。
【００９６】
しかしながら、このようにした状態で第１レンズ群の屈折力を大きくすると、それにより２次スペクトルと球面収差が大きく発生する傾向が強まる。そのため、変倍域の全域で色収差を良好に抑えた状態を保つには、第１レンズ群内の正レンズに、２次スペクトルの発生と球面収差の発生を軽減できる特性を持つ硝材を使うことが有効となる。そこで、条件式（１７）を満足することが好ましい。
【００９７】
条件式（１７）の下限値を下回らないようにすることで、第１レンズ群内で発生する２次スペクトルを十分に補正できる。この場合、軸上色収差や倍率色収差の発生の増大を抑制できるので、良好な結像性能が得られる。条件式（１７）の上限値を上回らないようにすることで、第１レンズ群内での２次スペクトルの補正が過剰になる傾向を弱めることができる。その結果、少ないレンズ枚数で、２次スペクトルの補正と球面収差の補正とのバランスを適切に確保することができる。
【００９８】
また、本実施形態のズームレンズでは、第４レンズ群はフォーカスレンズ群であることが好ましい。
【００９９】
第４レンズ群に入射する光束径は、第３レンズ群の正の屈折力によって小さくなっている。そのため、第４レンズ群は小型で軽量にすることができる。そこで、第４レンズ群をフォーカスレンズ群にすると、レンズ群を高速で移動させることができるので、高速でフォーカスができる。
【０１００】
特に、条件式（９）を満足する場合、第４レンズ群でフォーカスしても、球面収差と軸上色収差の変動を少なくできる。よって、至近距離に位置する物体にフォーカスした状態でも、良好な結像性能が得られる。
【０１０１】
また、第３レンズ群の屈折力と第４レンズ群の屈折力を、共に大きくすることが好ましい。このようにすることで、第４レンズ群におけるフォーカス感度を高めることができ、なお且つ、第４レンズ群を小径化することができる。その結果、小型で軽量なフォーカスユニットを実現できる。
【０１０２】
また、本実施形態のズームレンズでは、第２レンズ群は、少なくとも２枚の負レンズと１枚の正レンズとを有することが好ましい。
【０１０３】
第２レンズ群の屈折力を大きくすることで、主に、ズームによる像面湾曲と球面収差の変動が大きくなる。そこで、第２レンズ群において、負の屈折力を複数の負レンズに分担させることで、これらの収差の変動を減らすことができる。分担させる負レンズの数は２枚が好ましい。
【０１０４】
負の屈折力を２枚の負レンズに分担させる場合、物体側に負レンズを２枚配置することが好ましい。このようにすることで、像面湾曲の補正をより容易にすることができる。
【０１０５】
また、本実施形態のズームレンズは、以下の条件式（１２’）を満足することが好ましい。
１．７３≦ｎｄ2G_max_n≦２．３      （１２’）
ここで、
ｎｄ2G_max_nは、第２レンズ群の負レンズの屈折率のうち、最大となる屈折率、
である。
【０１０６】
条件式（１２’）の技術的意義は、条件式（１２）の技術的意義と同じである。条件式（１２’）を満足することで、像面湾曲の補正能力と球面収差の補正能力を高めることができる。条件式（１２’）を満足することは、広角端での画角の広角化と高変倍化に更に有効となる。
【０１０７】
また、本実施形態のズームレンズでは、第２レンズ群は、像側に凹面を向けた負レンズを、最も物体側に有し、最も物体側の負レンズでは、像側面の曲率半径の絶対値が、物体側面の曲率半径の絶対値に比べて小さく、以下の条件式（１８）を満足することが好ましい。
１．７３≦ｎｄ2G_n1≦２．３      （１８）
ここで、
ｎｄ2G_n1は、第２レンズ群の最も物体側の負レンズの屈折率、
である。
【０１０８】
条件式（１８）の技術的意義は、条件式（１２）の技術的意義と同じである。
【０１０９】
また、本実施形態のズームレンズでは、第３レンズ群は、手ブレ補正用の正レンズを有し、手ブレ補正用の正レンズを光軸と垂直方向にシフトすることで、手ブレによる像ズレの補正を行うことが好ましい。
【０１１０】
第３レンズ群は開口絞りの最も近くに位置するので、第３レンズ群を通過する光束の径は小さい。そのため、第３レンズ群のレンズを小型にすることができる。そこで、第３レンズ群内のレンズを、手ブレ補正用のレンズとして用いる。このようにすることで、小径で軽量な手ブレ補正ユニットを構成できる。
【０１１１】
手ブレ補正用のレンズは、１枚のレンズで構成することが好ましい。ただし、複数のレンズで手ブレ補正用のレンズを構成しても良い。手ブレ補正用のレンズには、単レンズや接合レンズを用いることができる。
【０１１２】
また、手ブレ補正用のレンズの屈折力は、正の屈折力にすることが好ましい。このようにすることで、第３レンズ群の正の屈折力を効率的に大きくすることができ、また、手ブレ補正の高速化が実現できる。
【０１１３】
また、本実施形態のズームレンズでは、第３レンズ群は、手ブレ補正用の負レンズを有し、以下の条件式（１９）を満足することが好ましい。
６≦νｄG3_IS_p−νｄG3_IS_n≦６５      （１９）
ここで、
νｄG3_IS_pは、手ブレ補正用の正レンズのアッベ数のうち、最大となるアッベ数、
νｄG3_IS_nは、手ブレ補正用の負レンズのアッベ数のうち、最小となるアッベ数、
である。
【０１１４】
条件式（１９）を満足することで、手ブレ補正を行っている状態での色収差の発生を少なくすることができる。その結果、手ブレ補正を行っている状態でも、良好な結像性能が得られる。
【０１１５】
また、本実施形態のズームレンズでは、第２レンズ群は、負レンズと正レンズとを少なくとも有し、以下の条件式（２０）を満足することが好ましい。
１５≦νｄG2_min_p≦３２      （２０）
ここで、
νｄG2_min_pは、第２レンズ群の正レンズのアッベ数のうち、最小となるアッベ数、
である。
【０１１６】
第２レンズ群の負の屈折力を大きくすることで、変倍比を高めることができる。また、これにより、光学系の全長の短縮と第２レンズ群の径の小径化ができるので、光学系を小型化することができる。
【０１１７】
ただし、第２レンズ群では、主に、広角端付近で倍率色収差が発生し、望遠端付近で軸上色収差が発生する場合がある。第２レンズ群では、望遠端に比べて、広角端で周辺光線の高さが高くなる。このようなことから、広角端と望遠端の各々で、これらの色収差を良好に補正するには、第２レンズ群内の正レンズのアッベ数を、なるべく高分散側にすることが好ましい。そこで、条件式（２０）を満足することが好ましい。
【０１１８】
条件式（２０）の下限値を下回らないようにすることで、色収差の補正が過剰になることを抑えることができる。条件式（２０）の上限値を上回らないようにすることで、色収差の補正が不足することを防止することができる。その結果、良好な結像性能を得ることができる。
【０１１９】
また、本実施形態のズームレンズでは、第１レンズ群は、１枚の負レンズと２枚の正レンズとを、少なくとも有することが好ましい。
【０１２０】
Ｆナンバーを小さくすると共に、高変倍化と光学系の全長の短縮を図ると、第１レンズ群の径が大きくなり、また、屈折力も大きくなる。第１レンズ群の径や屈折力が大きくなると、第１レンズ群では、主に、望遠端付近で球面収差が発生する。そこで、第１レンズ群の径や屈折力が大きくなっても、この球面収差を良好に補正した状態を保つことが好ましい。
【０１２１】
そのためには、第１レンズ群において、正の屈折力を少なくとも２枚の正レンズに分担させることが好ましい。分担させる正レンズの数は２枚が好ましい。
【０１２２】
更に、第１レンズ群に、負レンズを配置することが好ましい。このようにすることで、色収差を良好に補正することができる。
【０１２３】
また、負レンズのアッベ数を、正レンズのアッベ数より小さくすることが好ましい。このような負レンズを第１レンズ群に配置することで、主に、広角端付近での倍率色収差と望遠端付近での軸上色収差が、共に良好に補正されるので、第１レンズ群における色収差の発生を少なくすることができる。その結果、変倍域の全域で、良好な結像性能が得られる。
【０１２４】
また、本実施形態のズームレンズでは、第２レンズ群は、物体側から像側に、像側に凹面を向けた負レンズと、負レンズと、像側に凸面を向けた正レンズと、を有し、像側に凹面を向けた負レンズでは、像側面の曲率半径の絶対値が、物体側面の曲率半径の絶対値に比べて小さいことが好ましい。
【０１２５】
Ｆナンバーを小さくすると共に、高変倍化と光学系の全長の短縮を図るには、第２レンズ群の屈折力を大きくすることが好ましい。しかしながら、第２レンズ群の屈折力の増大は、変倍時に第２レンズ群で収差が変動する原因になる。具体的には、広角端から望遠端までの間で、主に、像面湾曲と球面収差が変動する。
【０１２６】
そこで、第２レンズ群を上述の構成にすることで、変倍時にレンズ面で光線の屈折角が急激に変化することを防止できる。その結果、変倍域の全域で、像面湾曲と球面収差が共に良好に補正された状態を保つことができる。
【０１２７】
このように、本実施形態のズームレンズによれば、良好な結像性能を維持しつつ、変倍域の全域でＦナンバーを小さくすると共に、高変倍化を行うことができる。小さいＦナンバーとは、例えば、５．０以下のＦナンバー、高い変倍比とは、例えば、６倍を超える変倍比である。
【０１２８】
また、本実施形態のズームレンズでは、第１レンズ群は、広角端より望遠端で物体側に位置するように移動することが好ましい。
【０１２９】
第１レンズ群をこのように移動させると、第１レンズ群は、望遠端で、広角端よりも物体側に繰り出された状態になる。そのため、第１レンズ群と第２レンズ群とによる変倍作用を高めることができる。その結果、高変倍化が容易となる。
【０１３０】
また、第１レンズ群が広角端より望遠端で物体側に位置することで、第１レンズ群よりも像側に広いスペースが形成される。そのため、広角端から望遠端までの間で、レンズ群を移動させるためのスペースの確保が容易となる。その結果、広角端付近における光学系の全長を短縮することが可能になる。
【０１３１】
また、本実施形態のズームレンズでは、第２レンズ群と第３レンズ群との間に、開口絞りが配置されていることが好ましい。
【０１３２】
このようにすることで、第１レンズ群の小径化と第２レンズ群の小径化が容易となる。
【０１３３】
また、本実施形態のズームレンズでは、第３レンズ群は、正の屈折力を有するレンズユニットを少なくとも２つ有することが好ましい。
【０１３４】
第３レンズ群の屈折力を大きくすることで、第３レンズ群における変倍作用を高めることができる。しかしながら、第３レンズ群の屈折力を大きくすると、これにより第３レンズ群で球面収差が発生する場合がある。そこで、第３レンズ群において、正の屈折力を、複数の正の屈折力を有するレンズユニットに分担させることで、これらの球面収差の発生量を減らすことができる。レンズユニットは、レンズ成分と見なしても良い。レンズ成分は、単レンズ、接合レンズ、複合レンズである。
【０１３５】
また、各レンズユニットは、互いに離れた位置に配置することが好ましい。隣り合うレンズユニットの間に空気間隔を設けることで、球面収差をより良好に補正することができる。
【０１３６】
また、本実施形態のズームレンズは、以下の条件式（２１）を満足することが好ましい。
−２．５≦ｆt／ｅｘｐt≦０．６      （２１）
ここで、
ｆtは、望遠端におけるズームレンズ全系の焦点距離、
ｅｘｐtは、近軸結像面から望遠端におけるズームレンズの射出瞳までの距離、
である。
【０１３７】
条件式（２１）の下限値を下回らないようにすることで、望遠端付近での正の歪曲収差の増大を抑えることができる。条件式（２１）の上限値を上回らないようにすることで、最終レンズ群におけるレンズ径の増大を抑えることができる。その結果、光学系の小型化が容易になる。
【０１３８】
また、本実施形態のズームレンズは、以下の条件式（３’）を満足することが好ましい。
１．７≦ｎｄ2G_max_p≦２．３      （３’）
ここで、
ｎｄ2G_max_pは、第２レンズ群の正レンズの屈折率のうち、最大となる屈折率、
である。
【０１３９】
条件式（３’）の技術的意義は既に説明したので、ここでの説明は省略する。
【０１４０】
また、本実施形態のズームレンズは、以下の条件式（１）を満足することが好ましい。
−０．０１５≦Ｔｐ2G_min_p≦０．０１５      （１）
ここで、
Ｔｐ2G_min_p＝θgF2G_p−（−０．００１６×νｄ2G_p＋０．６４１５)、
θgF2G_p＝（ｎｇ2G_p−ｎＦ2G_p）／（ｎＦ2G_p−ｎＣ2G_p)、
νｄ2G_pは、第２レンズ群の所定の正レンズのアッベ数、
ｎｇ2G_p、ｎＦ2G_p、ｎＣ2G_pは、第２レンズ群の所定の正レンズの屈折率であって、各々、ｇ線における屈折率、Ｆ線における屈折率、Ｃ線における屈折率、
第２レンズ群の所定の正レンズは、第２レンズ群の正レンズのうちでアッベ数が最も小さい正レンズ、
である。
【０１４１】
条件式（１）の技術的意義は既に説明したので、ここでの説明は省略する。
【０１４２】
また、本実施形態のズームレンズは、以下の条件式（２”）を満足することが好ましい。
６４≦νｄ1G_max_p      （２”）
ここで、
νｄ1G_max_pは、第１レンズ群の正レンズのアッベ数のうち、最大となるアッベ数、
である。
【０１４３】
条件式（２”）の技術的意義は、条件式（２）の技術的意義と同じである。
【０１４４】
また、本実施形態のズームレンズは、以下の条件式（１０）を満足することが好ましい。
２３≦νｄ5G_min_p      （１０）
ここで、
νｄ5G_min_pは、第５レンズ群の正レンズのアッベ数のうち、最小となるアッベ数、
である。
【０１４５】
条件式（１０）の技術的意義は既に説明したので、ここでの説明は省略する。
【０１４６】
また、本実施形態のズームレンズでは、第１レンズ群と第２レンズ群との間隔は、広角端よりも望遠端で広いことが好ましい。
【０１４７】
第２レンズ群における変倍作用を高めることができるので、高変倍化が容易となる。
【０１４８】
また、本実施形態のズームレンズでは、第２レンズ群と第３レンズ群との間隔は、広角端よりも望遠端で狭いことが好ましい。
【０１４９】
第２レンズ群と第３レンズ群とによる変倍作用を高めることができるので、高変倍化が容易となる。
【０１５０】
また、本実施形態のズームレンズでは、第４レンズ群と第５レンズ群との間隔は、広角端よりも望遠端で広いことが好ましい。
【０１５１】
第４レンズ群における変倍作用を高めることができるので、高変倍化が容易となる。
【０１５２】
また、本実施形態のズームレンズでは、第２レンズ群より像側で、且つ、第４レンズ群より物体側に開口絞りを配置することが好ましい。
【０１５３】
このようにすることで、変倍域の全域で、光学系における屈折力配置を、第３レンズ群を中心とした対称な形にすることができる。そのため、光学系の全長の短縮と、変倍域の全域での諸収差の補正、主に、像面湾曲やコマ収差の補正を良好に行うことが可能になる。
【０１５４】
また、本実施形態のズームレンズでは、第１レンズ群は少なくとも負レンズを有することが好ましい。
【０１５５】
色収差の補正と球面収差の補正を、共に良好に行うことができる。その結果、良好な結像性能が得られる。
【０１５６】
また、本実施形態のズームレンズでは、第２レンズ群は少なくとも負レンズを有することが好ましい。
【０１５７】
また、本実施形態のズームレンズは、以下の条件式（２２）を満足することが好ましい。
４＜｜ｆ1／ｆ2｜＜１０      （２２）
ここで、
ｆ1は、第１レンズ群の焦点距離、
ｆ2は、第２レンズ群の焦点距離、
である。
【０１５８】
条件式（２２）の下限値を下回らないようにすることで、主に、第１レンズ群での球面収差の増大を抑えることができる。条件式（２２）の上限値を上回らないようにすることで、主に、第２レンズ群での像面湾曲の増大を抑えることができる。その結果、良好な結像性能が得られる。
【０１５９】
また、本実施形態のズームレンズは、以下の条件式（２３）を満足することが好ましい。
０．２＜｜ｆ3／ｆ4｜＜１．３      （２３）
ここで、
ｆ3は、第３レンズ群の焦点距離、
ｆ4は、第４レンズ群の焦点距離、
である。
【０１６０】
条件式（２３）下限値を下回らないようにすることで、主に、第３レンズ群での球面収差の増大やコマ収差の増大を抑えることができる。条件式（２３）の上限値を上回らないようにすることで、主に、第４レンズ群での球面収差の増大やコマ収差の増大を抑えることができる。その結果、特に、望遠端付近での結像性能を十分に確保することが容易になる。
【０１６１】
また、本実施形態のズームレンズは、以下の条件式（２４）を満足することが好ましい。
０．３＜｜ｆ4／ｆ5｜＜１．２      （２４）
ここで、
ｆ4は、第４レンズ群の焦点距離、
ｆ5は、第５レンズ群の焦点距離、
である。
【０１６２】
条件式（２４）の下限値を下回らないようにすることで、第５レンズ群での負の歪曲収差の増大を抑えることができる。条件式（２４）の上限値を上回らないようにすることで、第４レンズ群よりも像側で光線の高さの増加を抑えることができる。その結果、光学系の小径化が容易になる。
【０１６３】
また、本実施形態のズームレンズは、以下の条件式（２５）を満足することが好ましい。
４．９＜ｆt／ｆw＜１０      （２５）
ここで、
ｆtは、望遠端におけるズームレンズ全系の焦点距離、
ｆtは、広角端におけるズームレンズ全系の焦点距離、
である。
【０１６４】
条件式（２５）の下限値を下回らないようにすることで、変倍比の低下を防止できる。これにより、光学系や撮像装置の商品性を高めることができる。条件式（２５）の上限値を上回らないようにすることで、光学系の小型化が容易になる。
【０１６５】
また、本実施形態のズームレンズは、以下の条件式（２６）を満足することが好ましい。
３＜Ｆｎｏt＜５．７      （２６）
ここで、
Ｆｎｏtは、望遠端における最小Ｆナンバー、
である。
【０１６６】
条件式（２６）の下限値を下回らないようにすることで、球面収差、コマ収差及び像面湾曲の増大を抑えることができると共に、各レンズ群における径が増加を防止することができる。これにより、光学系の小径化が容易になるので、光学系や撮像装置の機動性を十分に確保することが容易になる。条件式（２６）の上限値を上回らないようにすることで、夜などの暗いシーンでの撮影でもシャッタースピードの低下を防止できるので、手ブレや被写体ブレの発生を防止できる。また、十分な光量が得られるため、撮影した画像の画質が低下しない。
【０１６７】
また、本実施形態のズームレンズでは、第１レンズ群は、物体側から像側に順に、負レンズと正レンズとからなる接合レンズと、正レンズと、からなることが好ましい。
【０１６８】
このようにすることで、色収差の補正と球面収差の補正を、共に良好に行うことができる。その結果、良好な結像性能が得られる。また、２つのレンズを接合することで、レンズを枠部材へ組み込む際の誤差が減るので、安定した結像性能が得られる。
【０１６９】
また、本実施形態のズームレンズでは、第１レンズ群の最も物体側のレンズは、物体側に凸面を向けた負メニスカスレンズであることが好ましい。
【０１７０】
このようにすることで、第１レンズ群内を通過する周辺光線の急激な屈曲、特に、広角端付近での周辺光線の急激な屈曲を防ぐことができる。その結果、非点収差を良好に補正できる。
【０１７１】
また、本実施形態のズームレンズでは、第１レンズ群の最も像側のレンズは、物体側に凸面を向けた正メニスカスレンズであることが好ましい。
【０１７２】
このようにすることで、第１レンズ群内を通過する周辺光線の急激な屈曲、特に、広角端付近での周辺光線の急激な屈曲を防ぐことができる。その結果、非点収差を良好に補正できる。
【０１７３】
また、本実施形態のズームレンズでは、第２レンズ群は、物体側から像側に順に、像側面が像側に凹面を向けた負レンズと、物体側面が物体側に凹面を向けた負レンズと、像側面が像側に凸面を向けた正レンズと、物体側面が物体側に凹面を向けた負レンズと、からなることが好ましい。
【０１７４】
上述のように、第２レンズ群の最も物体側では、変倍時の光線高の変化が大きくなる。光線高の変化が大きいと、最も物体側のレンズにおける光線の屈折角の変化も急激になる。そこで、第２レンズ群の最も物体側に、像側に凹面を向けた負レンズを配置する。このようにすることで、変倍時にレンズ面で光線の屈折角が急激に変化することを緩和できる。その結果、変倍時の像面湾曲の変動を少なくすることができる。
【０１７５】
また、最も物体側の負レンズの像側に、物体側に凹面を向けた負レンズを配置することで、第２レンズ群全体の負屈折力を大きくすることができる。
【０１７６】
また、この負レンズの像側に、像側に凸面を向けた正レンズを配置する。この正レンズの物体側に位置する２枚の負レンズでは、球面収差や像面湾曲が発生し易い。そこで、この正レンズで、２枚の負レンズで発生する球面収差や像面湾曲を良好に補正できる。また、色収差を良好に補正できる。
【０１７７】
また、本実施形態のズームレンズでは、第２レンズ群の、物体側面が物体側に凹面を向けた負レンズと、像側面が像側に凸面を向けた正レンズと、が接合レンズであることが好ましい。
【０１７８】
上述のように、第２レンズ群は、物体側面が物体側に凹面を向けた負レンズと、像側面が像側に凸面を向けた正レンズと、を有する。負レンズの屈折力と正レンズの屈折力を、共に大きくすると、主に、高次の球面収差が発生する。そこで、この２つのレンズを接合することで、負レンズの屈折力と正レンズの屈折力を共に大きくしても、高次の球面収差の発生を抑えることができる。
【０１７９】
また、本実施形態のズームレンズでは、第３レンズ群は、物体側から像側に順に、両凸正レンズと、像側に凸面を向けた正レンズと、接合レンズと、物体側に凸面を向けた負メニスカスレンズと、両凸正レンズと、からなり、接合レンズは、物体側に凸面を向けた負メニスカスレンズと、物体側に凸面を向けた正メニスカスレンズと、からなることが好ましい。
【０１８０】
第３レンズ群の正の屈折力を複数の正レンズで分担することで、第３レンズ群の屈折力を大きくすると共に、色収差の補正効果を高めることができる。これにより、第３レンズ群の屈折力を大きくしても、球面収差やコマ収差の発生量を減らすことができる。その結果、変倍域の全域で良好な結像性能が得られる。
【０１８１】
また、本実施形態のズームレンズでは、第４レンズ群は、負レンズと正レンズとの接合レンズからなることが好ましい。
【０１８２】
このようにすることで、色収差を良好に補正することができる。その結果、変倍域の全域で、色収差の発生量を減らすことができる。
【０１８３】
また、本実施形態のズームレンズでは、第４レンズ群は、像側面が像側に凹面を向けた負レンズと、物体側に凸面を向けた正メニスカスレンズと、からなることが好ましい。
【０１８４】
また、本実施形態のズームレンズでは、第５レンズ群は、負レンズと正レンズとの接合レンズかなることが好ましい。
【０１８５】
このようにすることで、色収差の発生を抑えることができる。その結果、変倍域の全域で良好な結像性能が得られる。
【０１８６】
また、本実施形態のズームレンズでは、第５レンズ群は、両凸正レンズと、像側に凸面を向けた負メニスカスレンズと、からなることが好ましい。
【０１８７】
また、本実施形態のズームレンズでは、第５レンズ群は、像側面が像側に凹面を向けた負レンズと、両凸正レンズと、からなることが好ましい。
【０１８８】
また、本実施形態のズームレンズでは、第５レンズ群は、変倍時に固定であることが好ましい。
【０１８９】
第５レンズ群は、最も像側に位置する。そこで、第５レンズ群を固定とすることで、光学系の内部へ塵や水分の侵入を防止できる。すなわち、防塵効果や防水効果を容易に高めることができる。また、鏡筒内部で発生する作動音が外部に漏れにくくなるので、静音効果を高めることができる。
【０１９０】
また、本実施形態の撮像装置は、上記のいずれかのズームレンズと、撮像面を有する撮像素子を備えることを特徴とする。
【０１９１】
このようにすることで、広角側の画角や撮影可能な画角範囲が広く、ノイズの少ない画像が得られる撮像装置を提供できる。
【０１９２】
なお、各条件式について、下限値、上限値の何れか又は双方を限定することで、その機能をより確実にできるので好ましい。また、各条件式について、より限定した条件式の数値範囲の上限値あるいは下限値のみを限定しても構わない。
【０１９３】
条件式（１）の好ましい下限値と上限値は以下のとおりである。
下限値：−０．０１０、−０．００５、０．０００。
上限値：０．０１４、０．０１３。
条件式（２）、（２’）、（２”）の好ましい下限値と上限値は以下のとおりである。
下限値：６６．７、６９．４、７０．３、７０．５、７２．０、７４．０。
上限値：９８．０、９３．９、８９．８、８５．７、８０．０。
条件式（３）、（３’）の好ましい下限値と上限値は以下のとおりである。
下限値：１．７４、１．７６、１．７８、１．７９、１．８２、１．８４。
上限値：２．２３、２．２、２．１５、２．０８。
条件式（４）、（４’）の好ましい下限値と上限値は以下のとおりである。
下限値：０．３７、０．４０、０．４４、０．５０。
上限値：０．８９、０．８６、０．８５、０．８１、０．８０、０．７７。
条件式（５）の好ましい下限値と上限値は以下のとおりである。
下限値：２．４、２．９、３．０、３．２、３．３。
上限値：６．１、６．０、５．８、５．６。
条件式（６）の好ましい下限値と上限値は以下のとおりである。
下限値：１．１、１．２、１．３、１．５。
上限値：２．８、２．６、２．５、２．３。
条件式（７）、（７’）の好ましい下限値と上限値は以下のとおりである。
下限値：５５．０、５６．４、５８．０、５８．７、６０．０、６１．１。
上限値：９８．０、９３．９、８９．８、８５．７、８０．０、７６．０、７０．５。
条件式（８）、（８’）の好ましい下限値と上限値は以下のとおりである。
下限値：６４．８、６６．６、６８．４、７０．５、７４．０。
上限値：９８．０、９３．９、８９．８、８５．７、８０．０。
条件式（９）の好ましい下限値と上限値は以下のとおりである。
下限値：５．１、６．０、８．０、９．２、１２．０、１３．２、１５．０。
上限値：４６．０、４５．０、４３．０、４２．０、３８．０。
条件式（１０）の好ましい下限値と上限値は以下のとおりである。
下限値：３４．０、４０．０、４５．０、５０．０、５６．０、６０．０、６５．０。
上限値：９８．０、９３．９、８９．８、８５．７。
条件式（１１）の好ましい下限値と上限値は以下のとおりである。
下限値：−０．００９、−０．００６、−０．００５、−０．００３、０．０００２、０．０１。
上限値：０．０５５、０．０５２、０．０５、０．０４４、０．０３６。
条件式（１２）、（１２’）の好ましい下限値と上限値は以下のとおりである。
下限値：１．７３、１．７４、１．７８、１．７９、１．８５。
上限値：２．２３、２．２０、２．１５、２．０８。
条件式（１３）の好ましい下限値と上限値は以下のとおりである。
下限値：０．００７、０．０１５。
上限値：０．０５５、０．０５２、０．０５、０．０４４、０．０３６。
条件式（１４）の好ましい下限値と上限値は以下のとおりである。
下限値：１．１、１．１５、１．２、１．３、１．４。
上限値：２．６、２．４、２．３、２．２。
条件式（１５）の好ましい下限値と上限値は以下のとおりである。
下限値：０．８、０．８５、０．９、１．０。
上限値：２．１、２．０、１．９、１．８。
条件式（１６）の好ましい下限値と上限値は以下のとおりである。
下限値：０．８、０．８５、０．９。
上限値：１．５、１．４、１．３。
条件式（１７）の好ましい下限値と上限値は以下のとおりである。
下限値：０．００８、０．０１、０．０１１、０．０１４、０．０１５。
上限値：０．０５５、０．０５２、０．０５、０．０４４、０．０３６。
条件式（１８）の好ましい下限値と上限値は以下のとおりである。
下限値：１．７３、１．７４、１．７８、１．７９、１．８５。
上限値：２．２３、２．２、２．１５、２．０８。
条件式（１９）の好ましい下限値と上限値は以下のとおりである。
下限値：１０、１０．１、１４．２、１８．３、２０。
上限値：６２．２、６０、５９．４、５６．６。
条件式（２０）の好ましい下限値と上限値は以下のとおりである。
下限値：１６、１７、１９、２２。
上限値：３１、３０、２７。
条件式（２１）の好ましい下限値と上限値は以下のとおりである。
下限値：−２．２、−１．９、−１．７、−１．６、−０．７
上限値：０．５、０．３、０．２、０．０
条件式（２２）の好ましい下限値と上限値は以下のとおりである。
下限値：４．４、４．８、５．２
上限値：９．５、９．０、８．５
条件式（２３）の好ましい下限値と上限値は以下のとおりである。
下限値：０．３、
上限値：１．２、
条件式（２４）の好ましい下限値と上限値は以下のとおりである。
下限値：０．４、
上限値：１．１、
条件式（２５）の好ましい下限値と上限値は以下のとおりである。
下限値：５．３、５．７、６．０
上限値：９．６、９．１、８．７
条件式（２６）の好ましい下限値と上限値は以下のとおりである。
下限値：３．３、３．５、３．８
上限値：５．３、４．９、４．５
【０１９４】
以下に、本発明のある態様に係るズームレンズの実施例を、図面に基づいて詳細に説明する。なお、この実施例によりこの発明が限定されるものではない。また、屈折力の正、負は近軸曲率半径に基づく。
【０１９５】
以下、ズームレンズの実施例１〜１５について説明する。実施例１〜１５のレンズ断面図を、それぞれ図１〜図１５に示す。図中、（ａ）は、広角端におけるレンズ断面図、（ｂ）は、中間焦点距離状態におけるレンズ断面図、（ｃ）は、望遠端におけるレンズ断面図である。なお、（ａ）〜（ｃ）は、いずれも、無限遠物体合焦時のレンズ断面図である。
【０１９６】
また、第１レンズ群はＧ１、第２レンズ群はＧ２、第３レンズ群はＧ３、第４レンズ群はＧ４、第５レンズ群はＧ５、開口絞り（明るさ絞り）はＳ、像面（撮像面）はＩで示してある。また、フォーカスの際に移動するレンズ群を横方向の矢印、手ブレ補正の際に移動するレンズを縦方向の矢印で示している。
【０１９７】
なお、最も像側に位置するレンズ群と像面Ｉとの間に、ローパスフィルタを構成する平行平板や、電子撮像素子のカバーガラスを配置しても良い。この場合、平行平板の表面に、赤外光を制限する波長域制限コートを施しても良い。また、カバーガラスの表面に波長域制限用の多層膜を施してもよい。また、そのカバーガラスにローパスフィルタ作用を持たせるようにしてもよい。
【０１９８】
実施例１のズームレンズは、図１に示すように、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０１９９】
第１レンズ群Ｇ１は、物体側に凸面を向けた負メニスカスレンズＬ１と、両凸正レンズＬ２と、物体側に凸面を向けた正メニスカスレンズＬ３と、で構成されている。ここで、負メニスカスレンズＬ１と両凸正レンズＬ２とが接合されている。
【０２００】
第２レンズ群Ｇ２は、両凹負レンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０２０１】
第３レンズ群Ｇ３は、両凸正レンズＬ８と、像側に凸面を向けた正メニスカスレンズＬ９と、物体側に凸面を向けた負メニスカスレンズＬ１０と、両凸正レンズＬ１１と、で構成されている。ここで、負メニスカスレンズＬ１０と両凸正レンズＬ１１とが接合されている。
【０２０２】
第４レンズ群Ｇ４は、両凸正レンズＬ１２と、両凹負レンズＬ１３と、で構成されている。ここで、両凸正レンズＬ１２と両凹負レンズＬ１３とが接合されている。
【０２０３】
第５レンズ群Ｇ５は、両凸正レンズＬ１４と、像側に凸面を向けた負メニスカスレンズＬ１５と、で構成されている。ここで、両凸正レンズＬ１４と負メニスカスレンズＬ１５とが接合されている。
【０２０４】
広角端から望遠端への変倍時、第１レンズ群Ｇ１は物体側に移動し、第２レンズ群Ｇ２は物体側に移動し、第３レンズ群Ｇ３は物体側に移動し、第４レンズ群Ｇ４は物体側に移動し、第５レンズ群Ｇ５は像側に移動する。開口絞りＳは、第３レンズ群Ｇ３と共に移動する。
【０２０５】
合焦時、第４レンズ群Ｇ４が光軸に沿って移動する。より詳しくは、無限遠物体から近距離物体への合焦時に、第４レンズ群Ｇ４が像側に移動する。
【０２０６】
非球面は、両凹負レンズＬ４の両面と、負メニスカスレンズＬ７の両面と、両凸正レンズＬ８の両面と、両凸正レンズＬ１１の像側面と、両凹負レンズＬ１３の像側面との、合計８面に設けられている。
【０２０７】
実施例２のズームレンズは、図２に示すように、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０２０８】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、で構成されている。ここで、負メニスカスレンズＬ１と正メニスカスレンズＬ２とが接合されている。
【０２０９】
第２レンズ群Ｇ２は、物体側に凸面を向けた負メニスカスレンズＬ４と、両凹負レンズＬ５と、両凸正レンズＬ６と、両凹負レンズＬ７と、両凸正レンズＬ８と、で構成されている。
【０２１０】
第３レンズ群Ｇ３は、両凸正レンズＬ９と、両凸正レンズＬ１０と、物体側に凸面を向けた負メニスカスレンズＬ１１と、両凸正レンズＬ１２と、で構成されている。ここで、負メニスカスレンズＬ１１と両凸正レンズＬ１２とが接合されている。
【０２１１】
第４レンズ群Ｇ４は、物体側に凸面を向けた負メニスカスレンズＬ１３と、物体側に凸面を向けた正メニスカスレンズＬ１４と、で構成されている。ここで、負メニスカスレンズＬ１３と正メニスカスレンズＬ１４とが接合されている。
【０２１２】
第５レンズ群Ｇ５は、両凸正レンズＬ１５で構成されている。
【０２１３】
広角端から望遠端への変倍時、第１レンズ群Ｇ１は物体側に移動し、第２レンズ群Ｇ２は固定で、第３レンズ群Ｇ３は物体側に移動し、第４レンズ群Ｇ４は物体側に移動し、第５レンズ群Ｇ５は固定である。開口絞りＳは、単独で物体側に移動する。
【０２１４】
合焦時、第４レンズ群Ｇ４が光軸に沿って移動する。より詳しくは、無限遠物体から近距離物体への合焦時に、第４レンズ群Ｇ４が像側に移動する。
【０２１５】
非球面は、負メニスカスレンズＬ４の両面と、両凹負レンズＬ７の両面と、両凸正レンズＬ９の両面と、両凸正レンズＬ１５の両面との、合計８面に設けられている。
【０２１６】
実施例３のズームレンズは、図３に示すように、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０２１７】
第１レンズ群Ｇ１は、物体側に凸面を向けた負メニスカスレンズＬ１と、両凸正レンズＬ２と、物体側に凸面を向けた正メニスカスレンズＬ３と、で構成されている。ここで、負メニスカスレンズＬ１と両凸正レンズＬ２とが接合されている。
【０２１８】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、で構成されている。
【０２１９】
第３レンズ群Ｇ３は、両凸正レンズＬ８と、両凸正レンズＬ９と、物体側に凸面を向けた負メニスカスレンズＬ１０と、物体側に凸面を向けた正メニスカスレンズＬ１１と、物体側に凸面を向けた負メニスカスレンズＬ１２と、両凸正レンズＬ１３と、で構成されている。ここで、負メニスカスレンズＬ１０と正メニスカスレンズＬ１１とが接合されている。また、負メニスカスレンズＬ１２と両凸正レンズＬ１３とが接合されている。
【０２２０】
第４レンズ群Ｇ４は、両凹負レンズＬ１４と、物体側に凸面を向けた正メニスカスレンズＬ１５と、で構成されている。ここで、両凹負レンズＬ１４と正メニスカスレンズＬ１５とが接合されている。
【０２２１】
第５レンズ群Ｇ５は、両凸正レンズＬ１６と、像側に凸面を向けた負メニスカスレンズＬ１７と、で構成されている。ここで、両凸正レンズＬ１６と負メニスカスレンズＬ１７とが接合されている。
【０２２２】
広角端から望遠端への変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動し、第５レンズ群Ｇ５は固定である。開口絞りＳは、単独で物体側に移動する。
【０２２３】
合焦時、第４レンズ群Ｇ４が光軸に沿って移動する。より詳しくは、無限遠物体から近距離物体への合焦時に、第４レンズ群Ｇ４が像側に移動する。また、手ブレ補正時、第３レンズ群Ｇ３の負メニスカスレンズＬ１２と両凸正レンズＬ１３とが光軸と直交する方向に移動する。
【０２２４】
非球面は、両凹負レンズＬ５の両面と、負メニスカスレンズＬ７の両面と、両凸正レンズＬ８の両面と、両凸正レンズＬ１３の像側面と、両凸正レンズＬ１６の物体側面との、合計８面に設けられている。
【０２２５】
実施例４のズームレンズは、図４に示すように、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０２２６】
第１レンズ群Ｇ１は、物体側に凸面を向けた負メニスカスレンズＬ１と、物体側に凸面を向けた平凸正レンズＬ２と、物体側に凸面を向けた正メニスカスレンズＬ３と、で構成されている。ここで、負メニスカスレンズＬ１と平凸正レンズＬ２とが接合されている。
【０２２７】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０２２８】
第３レンズ群Ｇ３は、両凸正レンズＬ８と、両凸正レンズＬ９と、物体側に凸面を向けた負メニスカスレンズＬ１０と、物体側に凸面を向けた正メニスカスレンズＬ１１と、物体側に凸面を向けた負メニスカスレンズＬ１２と、両凸正レンズＬ１３と、で構成されている。ここで、負メニスカスレンズＬ１０と正メニスカスレンズＬ１１とが接合されている。また、負メニスカスレンズＬ１２と両凸正レンズＬ１３とが接合されている。
【０２２９】
第４レンズ群Ｇ４は、物体側に凸面を向けた負メニスカスレンズＬ１４と、物体側に凸面を向けた正メニスカスレンズＬ１５と、で構成されている。ここで、負メニスカスレンズＬ１４と正メニスカスレンズＬ１５とが接合されている。
【０２３０】
第５レンズ群Ｇ５は、両凸正レンズＬ１６と、像側に凸面を向けた負メニスカスレンズＬ１７と、で構成されている。ここで、両凸正レンズＬ１６と負メニスカスレンズＬ１７とが接合されている。
【０２３１】
広角端から望遠端への変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動した後、像側に移動し、第５レンズ群Ｇ５は固定である。開口絞りＳは、第３レンズ群Ｇ３と共に移動する。
【０２３２】
合焦時、第４レンズ群Ｇ４が光軸に沿って移動する。より詳しくは、無限遠物体から近距離物体への合焦時に、第４レンズ群Ｇ４が像側に移動する。また、手ブレ補正時、第３レンズ群Ｇ３の負メニスカスレンズＬ１２と両凸正レンズＬ１３とが光軸と直交する方向に移動する。
【０２３３】
非球面は、負メニスカスレンズＬ４の両面と、両凸正レンズＬ８の両面と、両凸正レンズＬ１３の像側面と、両凸正レンズＬ１６の物体側面との、合計６面に設けられている。
【０２３４】
実施例５のズームレンズは、図５に示すように、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０２３５】
第１レンズ群Ｇ１は、物体側に凸面を向けた負メニスカスレンズＬ１と、両凸正レンズＬ２と、物体側に凸面を向けた正メニスカスレンズＬ３と、で構成されている。ここで、負メニスカスレンズＬ１と両凸正レンズＬ２とが接合されている。
【０２３６】
第２レンズ群Ｇ２は、物体側に凸面を向けた負メニスカスレンズＬ４と、両凹負レンズＬ５と、両凸正レンズＬ６と、両凹負レンズＬ７と、両凸正レンズＬ８と、で構成されている。ここで、両凹負レンズＬ７と両凸正レンズＬ８とが接合されている。
【０２３７】
第３レンズ群Ｇ３は、両凸正レンズＬ９と、両凸正レンズＬ１０と、物体側に凸面を向けた負メニスカスレンズＬ１１と、物体側に凸面を向けた正メニスカスレンズＬ１２と、物体側に凸面を向けた負メニスカスレンズＬ１３と、両凸正レンズＬ１４と、で構成されている。ここで、負メニスカスレンズＬ１１と正メニスカスレンズＬ１２とが接合されている。また、負メニスカスレンズＬ１３と両凸正レンズＬ１４とが接合されている。
【０２３８】
第４レンズ群Ｇ４は、物体側に凸面を向けた負メニスカスレンズＬ１５と、物体側に凸面を向けた正メニスカスレンズＬ１６と、で構成されている。ここで、負メニスカスレンズＬ１５と正メニスカスレンズＬ１６とが接合されている。
【０２３９】
第５レンズ群Ｇ５は、両凸正レンズＬ１７と、像側に凸面を向けた負メニスカスレンズＬ１８と、で構成されている。ここで、両凸正レンズＬ１７と負メニスカスレンズＬ１８とが接合されている。
【０２４０】
広角端から望遠端への変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動し、第５レンズ群Ｇ５は固定である。開口絞りＳは、単独で物体側に移動する。
【０２４１】
合焦時、第４レンズ群Ｇ４が光軸に沿って移動する。より詳しくは、無限遠物体から近距離物体への合焦時に、第４レンズ群Ｇ４が像側に移動する。また、手ブレ補正時、第３レンズ群Ｇ３の負メニスカスレンズＬ１３と両凸正レンズＬ１４とが光軸と直交する方向に移動する。
【０２４２】
非球面は、負メニスカスレンズＬ４の両面と、両凸正レンズＬ９の両面と、両凸正レンズＬ１４の像側面と、両凸正レンズＬ１７の物体側面との、合計６面に設けられている。
【０２４３】
実施例６のズームレンズは、図６に示すように、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０２４４】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、で構成されている。ここで、負メニスカスレンズＬ１と正メニスカスレンズＬ２とが接合されている。
【０２４５】
第２レンズ群Ｇ２は、物体側に凸面を向けた負メニスカスレンズＬ４と、像側に凸面を向けた負メニスカスレンズＬ５と、像側に凸面を向けた正メニスカスレンズＬ６と、像側に凸面を向けた負メニスカスレンズＬ７と、で構成されている。ここで、負メニスカスレンズＬ５と正メニスカスレンズＬ６とが接合されている。
【０２４６】
第３レンズ群Ｇ３は、両凸正レンズＬ８と、両凸正レンズＬ９と、物体側に凸面を向けた負メニスカスレンズＬ１０と、物体側に凸面を向けた正メニスカスレンズＬ１１と、両凸正レンズＬ１２と、で構成されている。ここで、負メニスカスレンズＬ１０と正メニスカスレンズＬ１１とが接合されている。
【０２４７】
第４レンズ群Ｇ４は、物体側に凸面を向けた負メニスカスレンズＬ１３と、物体側に凸面を向けた正メニスカスレンズＬ１４と、で構成されている。ここで、負メニスカスレンズＬ１３と正メニスカスレンズＬ１４とが接合されている。
【０２４８】
第５レンズ群Ｇ５は、物体側に凸面を向けた負メニスカスレンズＬ１５と、両凸正レンズＬ１６と、で構成されている。ここで、負メニスカスレンズＬ１５と両凸正レンズＬ１６とが接合されている。
【０２４９】
広角端から望遠端への変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動した後、像側に移動し、第５レンズ群Ｇ５は固定である。開口絞りＳは、第３レンズ群Ｇ３と共に移動する。
【０２５０】
合焦時、第４レンズ群Ｇ４が光軸に沿って移動する。より詳しくは、無限遠物体から近距離物体への合焦時に、第４レンズ群Ｇ４が像側に移動する。また、手ブレ補正時、第３レンズ群Ｇ３の両凸正レンズＬ１２が光軸と直交する方向に移動する。
【０２５１】
非球面は、負メニスカスレンズＬ４の両面と、負メニスカスレンズＬ７の両面と、両凸正レンズＬ８の両面と、両凸正レンズＬ１２の両面と、両凸正レンズＬ１６の像側面との、合計９面に設けられている。
【０２５２】
実施例７のズームレンズは、図７に示すように、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０２５３】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、で構成されている。ここで、負メニスカスレンズＬ１と正メニスカスレンズＬ２とが接合されている。
【０２５４】
第２レンズ群Ｇ２は、両凹負レンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０２５５】
第３レンズ群Ｇ３は、両凸正レンズＬ８と、像側に凸面を向けた正メニスカスレンズＬ９と、物体側に凸面を向けた負メニスカスレンズＬ１０と、物体側に凸面を向けた正メニスカスレンズＬ１１と、物体側に凸面を向けた負メニスカスレンズＬ１２と、両凸正レンズＬ１３と、で構成されている。ここで、負メニスカスレンズＬ１０と正メニスカスレンズＬ１１とが接合されている。また、負メニスカスレンズＬ１２と両凸正レンズＬ１３とが接合されている。
【０２５６】
第４レンズ群Ｇ４は、物体側に凸面を向けた負メニスカスレンズＬ１４と、物体側に凸面を向けた正メニスカスレンズＬ１５と、で構成されている。ここで、負メニスカスレンズＬ１４と正メニスカスレンズＬ１５とが接合されている。
【０２５７】
第５レンズ群Ｇ５は、両凸正レンズＬ１６と、像側に凸面を向けた負メニスカスレンズＬ１７と、で構成されている。ここで、両凸正レンズＬ１６と負メニスカスレンズＬ１７とが接合されている。
【０２５８】
広角端から望遠端への変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動し、第５レンズ群Ｇ５は固定である。開口絞りＳは、第３レンズ群Ｇ３と共に移動する。
【０２５９】
合焦時、第４レンズ群Ｇ４が光軸に沿って移動する。より詳しくは、無限遠物体から近距離物体への合焦時に、第４レンズ群Ｇ４が像側に移動する。また、手ブレ補正時、第３レンズ群Ｇ３の負メニスカスレンズＬ１２と両凸正レンズＬ１３とが光軸と直交する方向に移動する。
【０２６０】
非球面は、両凹負レンズＬ４の両面と、両凸正レンズＬ８の両面と、両凸正レンズＬ１６の物体側面との、合計５面に設けられている。
【０２６１】
実施例８のズームレンズは、図８に示すように、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０２６２】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、で構成されている。ここで、負メニスカスレンズＬ１と正メニスカスレンズＬ２とが接合されている。
【０２６３】
第２レンズ群Ｇ２は、物体側に凸面を向けた負メニスカスレンズＬ４と、像側に凸面を向けた負メニスカスレンズＬ５と、像側に凸面を向けた正メニスカスレンズＬ６と、像側に凸面を向けた負メニスカスレンズＬ７と、で構成されている。ここで、負メニスカスレンズＬ５と正メニスカスレンズＬ６とが接合されている。
【０２６４】
第３レンズ群Ｇ３は、両凸正レンズＬ８と、両凸正レンズＬ９と、物体側に凸面を向けた負メニスカスレンズＬ１０と、物体側に凸面を向けた正メニスカスレンズＬ１１と、物体側に凸面を向けた負メニスカスレンズＬ１２と、両凸正レンズＬ１３と、で構成されている。ここで、負メニスカスレンズＬ１０と正メニスカスレンズＬ１１とが接合されている。
【０２６５】
第４レンズ群Ｇ４は、物体側に凸面を向けた負メニスカスレンズＬ１４と、物体側に凸面を向けた正メニスカスレンズＬ１５と、で構成されている。ここで、負メニスカスレンズＬ１４と正メニスカスレンズＬ１５とが接合されている。
【０２６６】
第５レンズ群Ｇ５は、物体側に凸面を向けた負メニスカスレンズＬ１６と、両凸正レンズＬ１７と、で構成されている。ここで、負メニスカスレンズＬ１６と両凸正レンズＬ１７とが接合されている。
【０２６７】
広角端から望遠端への変倍時、第１レンズ群Ｇ１は物体側に移動し、第２レンズ群Ｇ２は像側に移動した後、物体側に移動し、第３レンズ群Ｇ３は物体側に移動し、第４レンズ群Ｇ４は物体側に移動し、第５レンズ群Ｇ５は固定である。開口絞りＳは、第３レンズ群Ｇ３と共に移動する。
【０２６８】
合焦時、第４レンズ群Ｇ４が光軸に沿って移動する。より詳しくは、無限遠物体から近距離物体への合焦時に、第４レンズ群Ｇ４が像側に移動する。また、手ブレ補正時、第３レンズ群Ｇ３の負メニスカスレンズＬ１２と両凸正レンズＬ１３とが光軸と直交する方向に移動する。
【０２６９】
非球面は、負メニスカスレンズＬ４の両面と、負メニスカスレンズＬ７の両面と、両凸正レンズＬ８の両面と、両凸正レンズＬ１３の両面と、両凸正レンズＬ１７の像側面との、合計９面に設けられている。
【０２７０】
実施例９のズームレンズは、図９に示すように、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０２７１】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、で構成されている。ここで、負メニスカスレンズＬ１と正メニスカスレンズＬ２とが接合されている。
【０２７２】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０２７３】
第３レンズ群Ｇ３は、両凸正レンズＬ８と、両凸正レンズＬ９と、物体側に凸面を向けた負メニスカスレンズＬ１０と、物体側に凸面を向けた正メニスカスレンズＬ１１と、物体側に凸面を向けた負メニスカスレンズＬ１２と、両凸正レンズＬ１３と、で構成されている。ここで、負メニスカスレンズＬ１０と正メニスカスレンズＬ１１とが接合されている。また、負メニスカスレンズＬ１２と両凸正レンズＬ１３とが接合されている。
【０２７４】
第４レンズ群Ｇ４は、物体側に凸面を向けた負メニスカスレンズＬ１４と、物体側に凸面を向けた正メニスカスレンズＬ１５と、で構成されている。ここで、負メニスカスレンズＬ１４と正メニスカスレンズＬ１５とが接合されている。
【０２７５】
第５レンズ群Ｇ５は、両凸正レンズＬ１６と、像側に凸面を向けた負メニスカスレンズＬ１７と、で構成されている。ここで、両凸正レンズＬ１６と負メニスカスレンズＬ１７とが接合されている。
【０２７６】
広角端から望遠端への変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動し、第５レンズ群Ｇ５は物体側に移動する。開口絞りＳは、第３レンズ群Ｇ３と共に移動する。
【０２７７】
合焦時、第４レンズ群Ｇ４が光軸に沿って移動する。より詳しくは、無限遠物体から近距離物体への合焦時に、第４レンズ群Ｇ４が像側に移動する。また、手ブレ補正時、第３レンズ群Ｇ３の負メニスカスレンズＬ１２と両凸正レンズＬ１３とが光軸と直交する方向に移動する。
【０２７８】
非球面は、負メニスカスレンズＬ４の両面と、両凸正レンズＬ８の両面と、両凸正レンズＬ１３の像側面と、両凸正レンズＬ１６の物体側面との、合計６面に設けられている。
【０２７９】
実施例１０のズームレンズは、図１０に示すように、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０２８０】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、で構成されている。ここで、負メニスカスレンズＬ１と正メニスカスレンズＬ２とが接合されている。
【０２８１】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０２８２】
第３レンズ群Ｇ３は、両凸正レンズＬ８と、両凸正レンズＬ９と、物体側に凸面を向けた負メニスカスレンズＬ１０と、物体側に凸面を向けた正メニスカスレンズＬ１１と、物体側に凸面を向けた負メニスカスレンズＬ１２と、両凸正レンズＬ１３と、で構成されている。ここで、負メニスカスレンズＬ１０と正メニスカスレンズＬ１１とが接合されている。また、負メニスカスレンズＬ１２と両凸正レンズＬ１３とが接合されている。
【０２８３】
第４レンズ群Ｇ４は、物体側に凸面を向けた負メニスカスレンズＬ１４と、物体側に凸面を向けた正メニスカスレンズＬ１５と、で構成されている。ここで、負メニスカスレンズＬ１４と正メニスカスレンズＬ１５とが接合されている。
【０２８４】
第５レンズ群Ｇ５は、両凸正レンズＬ１６と、像側に凸面を向けた負メニスカスレンズＬ１７と、で構成されている。ここで、両凸正レンズＬ１６と負メニスカスレンズＬ１７とが接合されている。
【０２８５】
広角端から望遠端への変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動した後、像側に移動し、第５レンズ群Ｇ５は像側に移動する。開口絞りＳは、第３レンズ群Ｇ３と共に移動する。
【０２８６】
合焦時、第４レンズ群Ｇ４が光軸に沿って移動する。より詳しくは、無限遠物体から近距離物体への合焦時に、第４レンズ群Ｇ４が像側に移動する。また、手ブレ補正時、第３レンズ群Ｇ３の負メニスカスレンズＬ１２と両凸正レンズＬ１３とが光軸と直交する方向に移動する。
【０２８７】
非球面は、負メニスカスレンズＬ４の両面と、両凸正レンズＬ８の両面と、両凸正レンズＬ１３の像側面と、両凸正レンズＬ１６の物体側面との、合計６面に設けられている。
【０２８８】
実施例１１のズームレンズは、図１１に示すように、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０２８９】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、で構成されている。ここで、負メニスカスレンズＬ１と正メニスカスレンズＬ２とが接合されている。
【０２９０】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０２９１】
第３レンズ群Ｇ３は、両凸正レンズＬ８と、両凸正レンズＬ９と、像側に凸面を向けた負メニスカスレンズＬ１０と、両凹負レンズＬ１１と、両凸正レンズＬ１２と、で構成されている。ここで、両凸正レンズＬ９と負メニスカスレンズＬ１０とが接合されている。また、両凹負レンズＬ１１と両凸正レンズＬ１２とが接合されている。
【０２９２】
第４レンズ群Ｇ４は、物体側に凸面を向けた負メニスカスレンズＬ１３と、物体側に凸面を向けた正メニスカスレンズＬ１４と、で構成されている。ここで、負メニスカスレンズＬ１３と正メニスカスレンズＬ１４とが接合されている。
【０２９３】
第５レンズ群Ｇ５は、両凹負レンズＬ１５と、両凸正レンズＬ１６と、で構成されている。
【０２９４】
広角端から望遠端への変倍時、第１レンズ群Ｇ１は固定で、第２レンズ群Ｇ２は像側に移動し、第３レンズ群Ｇ３は物体側に移動し、第４レンズ群Ｇ４は物体側に移動した後、像側に移動し、第５レンズ群Ｇ５は像側に移動した後、物体側に移動する。開口絞りＳは、第３レンズ群Ｇ３と共に移動する。
【０２９５】
合焦時、第４レンズ群Ｇ４が光軸に沿って移動する。より詳しくは、無限遠物体から近距離物体への合焦時に、第４レンズ群Ｇ４が像側に移動する。また、手ブレ補正時、第３レンズ群Ｇ３の両凹負レンズＬ１１と両凸正レンズＬ１２とが光軸と直交する方向に移動する。
【０２９６】
非球面は、負メニスカスレンズＬ４の両面と、負メニスカスレンズＬ７の両面と、両凸正レンズＬ８の両面と、両凸正レンズＬ１６の両面との、合計８面に設けられている。
【０２９７】
実施例１２のズームレンズは、図１２に示すように、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０２９８】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、で構成されている。ここで、負メニスカスレンズＬ１と正メニスカスレンズＬ２とが接合されている。
【０２９９】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０３００】
第３レンズ群Ｇ３は、両凸正レンズＬ８と、両凸正レンズＬ９と、像側に凸面を向けた負メニスカスレンズＬ１０と、物体側に凸面を向けた負メニスカスレンズＬ１１と、両凸正レンズＬ１２と、で構成されている。ここで、両凸正レンズＬ９と負メニスカスレンズＬ１０とが接合されている。また、負メニスカスレンズＬ１１と両凸正レンズＬ１２とが接合されている。
【０３０１】
第４レンズ群Ｇ４は、物体側に凸面を向けた負メニスカスレンズＬ１３と、物体側に凸面を向けた正メニスカスレンズＬ１４と、で構成されている。ここで、負メニスカスレンズＬ１３と正メニスカスレンズＬ１４とが接合されている。
【０３０２】
第５レンズ群Ｇ５は、物体側に凸面を向けた負メニスカスレンズＬ１５と、両凸正レンズＬ１６と、で構成されている。
【０３０３】
広角端から望遠端への変倍時、第１レンズ群Ｇ１は固定で、第２レンズ群Ｇ２は像側に移動し、第３レンズ群Ｇ３は物体側に移動し、第４レンズ群Ｇ４は物体側に移動した後、像側に移動し、第５レンズ群Ｇ５は固定である。開口絞りＳは固定である。
【０３０４】
合焦時、第４レンズ群Ｇ４が光軸に沿って移動する。より詳しくは、無限遠物体から近距離物体への合焦時に、第４レンズ群Ｇ４が像側に移動する。また、手ブレ補正時、第３レンズ群Ｇ３の両凸正レンズＬ９と負メニスカスレンズＬ１０とが光軸と直交する方向に移動する。
【０３０５】
非球面は、両凹負レンズＬ５の物体側面と、負メニスカスレンズＬ７の両面と、両凸正レンズＬ８の両面との、合計５面に設けられている。
【０３０６】
実施例１３のズームレンズは、図１３に示すように、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０３０７】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、で構成されている。ここで、負メニスカスレンズＬ１と正メニスカスレンズＬ２とが接合されている。
【０３０８】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、で構成されている。
【０３０９】
第３レンズ群Ｇ３は、両凸正レンズＬ８と、両凸正レンズＬ９と、像側に凸面を向けた負メニスカスレンズＬ１０と、物体側に凸面を向けた負メニスカスレンズＬ１１と、両凸正レンズＬ１２と、で構成されている。ここで、両凸正レンズＬ９と負メニスカスレンズＬ１０とが接合されている。また、負メニスカスレンズＬ１１と両凸正レンズＬ１２とが接合されている。
【０３１０】
第４レンズ群Ｇ４は、物体側に凸面を向けた負メニスカスレンズＬ１３と、物体側に凸面を向けた正メニスカスレンズＬ１４と、で構成されている。ここで、負メニスカスレンズＬ１３と正メニスカスレンズＬ１４とが接合されている。
【０３１１】
第５レンズ群Ｇ５は、物体側に凸面を向けた負メニスカスレンズＬ１５と、両凸正レンズＬ１６と、で構成されている。
【０３１２】
広角端から望遠端への変倍時、第１レンズ群Ｇ１は固定で、第２レンズ群Ｇ２は像側に移動し、第３レンズ群Ｇ３は物体側に移動し、第４レンズ群Ｇ４は物体側に移動した後、像側に移動し、第５レンズ群Ｇ５は固定である。開口絞りＳは固定である。
【０３１３】
合焦時、第４レンズ群Ｇ４が光軸に沿って移動する。より詳しくは、無限遠物体から近距離物体への合焦時に、第４レンズ群Ｇ４が像側に移動する。また、手ブレ補正時、第３レンズ群Ｇ３の負メニスカスレンズＬ１１と両凸正レンズＬ１２とが光軸と直交する方向に移動する。
【０３１４】
非球面は、両凹負レンズＬ５の両面と、両凸正レンズＬ８の両面との、合計４面に設けられている。
【０３１５】
実施例１４のズームレンズは、図１４に示すように、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０３１６】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、で構成されている。ここで、負メニスカスレンズＬ１と正メニスカスレンズＬ２とが接合されている。
【０３１７】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０３１８】
第３レンズ群Ｇ３は、両凸正レンズＬ８と、物体側に凸面を向けた負メニスカスレンズＬ９と、両凸正レンズＬ１０と、物体側に凸面を向けた負メニスカスレンズＬ１１と、両凸正レンズＬ１２と、で構成されている。ここで、負メニスカスレンズＬ９と両凸正レンズＬ１０とが接合されている。また、負メニスカスレンズＬ１１と両凸正レンズＬ１２とが接合されている。
【０３１９】
第４レンズ群Ｇ４は、像側に凸面を向けた正メニスカスレンズＬ１３と、両凹負レンズＬ１４と、で構成されている。ここで、正メニスカスレンズＬ１３と両凹負レンズＬ１４とが接合されている。
【０３２０】
第５レンズ群Ｇ５は、両凸正レンズＬ１５と、像側に凸面を向けた負メニスカスレンズＬ１６と、で構成されている。ここで、両凸正レンズＬ１５と負メニスカスレンズＬ１６とが接合されている。
【０３２１】
広角端から望遠端への変倍時、第１レンズ群Ｇ１は像側に移動した後、物体側に移動し、第２レンズ群Ｇ２は像側に移動し、第３レンズ群Ｇ３は固定で、第４レンズ群Ｇ４は像側に移動し、第５レンズ群Ｇ５は固定である。開口絞りＳは固定である。
【０３２２】
合焦時、第４レンズ群Ｇ４が光軸に沿って移動する。より詳しくは、無限遠物体から近距離物体への合焦時に、第４レンズ群Ｇ４が像側に移動する。また、手ブレ補正時、第３レンズ群Ｇ３の負メニスカスレンズＬ１１と両凸正レンズＬ１２とが光軸と直交する方向に移動する。
【０３２３】
非球面は、負メニスカスレンズＬ４の両面と、両凸正レンズＬ８の両面と、両凸正レンズＬ１２の像側面と、両凹負レンズＬ１４の像側面との、合計６面に設けられている。
【０３２４】
実施例１５のズームレンズは、図１５に示すように、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０３２５】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、で構成されている。ここで、負メニスカスレンズＬ１と正メニスカスレンズＬ２とが接合されている。
【０３２６】
第２レンズ群Ｇ２は、物体側に凸面を向けた負メニスカスレンズＬ４と、両凹負レンズＬ５と、両凸正レンズＬ６と、両凹負レンズＬ７と、で構成されている。ここで、両凹負レンズＬ５と両凸正レンズＬ６とが接合されている。
【０３２７】
第３レンズ群Ｇ３は、両凸正レンズＬ８と、両凹負レンズＬ９と、両凸正レンズＬ１０と、物体側に凸面を向けた負メニスカスレンズＬ１１と、両凸正レンズＬ１２と、で構成されている。ここで、両凹負レンズＬ９と両凸正レンズＬ１０とが接合されている。また、負メニスカスレンズＬ１１と両凸正レンズＬ１２とが接合されている。
【０３２８】
第４レンズ群Ｇ４は、像側に凸面を向けた正メニスカスレンズＬ１３と、両凹負レンズＬ１４と、で構成されている。ここで、正メニスカスレンズＬ１３と両凹負レンズＬ１４とが接合されている。
【０３２９】
第５レンズ群Ｇ５は、両凸正レンズＬ１５と、像側に凸面を向けた負メニスカスレンズＬ１６と、で構成されている。ここで、両凸正レンズＬ１５と負メニスカスレンズＬ１６とが接合されている。
【０３３０】
広角端から望遠端への変倍時、第１レンズ群Ｇ１は像側に移動した後、物体側に移動し、第２レンズ群Ｇ２は像側に移動し、第３レンズ群Ｇ３は固定で、第４レンズ群Ｇ４は像側に移動し、第５レンズ群Ｇ５は像側に移動する。開口絞りＳは固定である。
【０３３１】
合焦時、第４レンズ群Ｇ４が光軸に沿って移動する。より詳しくは、無限遠物体から近距離物体への合焦時に、第４レンズ群Ｇ４が像側に移動する。また、手ブレ補正時、第３レンズ群Ｇ３の負メニスカスレンズＬ１１と両凸正レンズＬ１２とが光軸と直交する方向に移動する。
【０３３２】
非球面は、負メニスカスレンズＬ４の両面と、両凸正レンズＬ８の両面と、両凸正レンズＬ１２の像側面と、両凹負レンズＬ１４の像側面との、合計６面に設けられている。
【０３３３】
次に、上記各実施例のズームレンズを構成する光学部材の数値データを掲げる。なお、各実施例の数値データにおいて、ｒ１、ｒ２、…は各レンズ面の曲率半径、ｄ１、ｄ２、…は各レンズの肉厚又は空気間隔、ｎｄ１、ｎｄ２、…は各レンズのｄ線での屈折率、νｄ１、νｄ２、…は各レンズのアッベ数、＊印は非球面である。また、ズームデータにおいて、中間は中間焦点距離状態、焦点距離はズームレンズ全系の焦点距離、ＦＮＯ．はＦナンバー、ωは半画角、ＦＢはバックフォーカス、ｆ１、ｆ２…は各レンズ群の焦点距離である。なお、全長は、レンズ最前面からレンズ最終面までの距離にバックフォーカスを加えたものである。バックフォーカスは、レンズ最終面から近軸像面までの距離を空気換算して表したものである。また、数値データは無限遠物体合焦時のデータある。
【０３３４】
また、非球面形状は、光軸方向をｚ、光軸に直交する方向をｙにとり、円錐係数をｋ、非球面係数をＡ４、Ａ６、Ａ８、Ａ１０としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10
また、非球面係数において、「ｅ−ｎ」（ｎは整数）は、「１０−ｎ」を示している。なお、これら諸元値の記号は後述の実施例の数値データにおいても共通である。
【０３３５】
数値実施例１
単位  ｍｍ
面データ
面番号        r              d             nd             νd
物面        ∞             ∞
1       83.330          1.700        1.85478          24.80
2       57.192          6.236        1.49700          81.61
3    -2638.825          0.150
4       55.676          4.801        1.49700          81.61
5      280.127          可変
6*    -214.906          1.800        1.74320          49.34
7*      12.623          6.700
8      -26.244          1.200        1.49700          81.61
9       62.822          2.813        1.85478          24.80
10      -27.095          1.448
11*     -15.473          1.200        1.74320          49.34
12*     -55.735          可変
13(絞り)   ∞            1.500
14*      16.974          5.852        1.58313          59.38
15*     -76.148          1.136
16     -475.191          2.300        1.63930          44.87
17      -32.066          0.300
18      132.650          1.000        1.90366          31.32
19       13.751          5.825        1.49700          81.61
20*     -27.166          可変
21      125.473          1.869        1.80518          25.42
22     -117.052          1.000        1.58313          59.38
23*      22.259          可変
24      127.365          6.510        1.49700          81.61
25      -19.078          1.300        1.85478          24.80
26      -26.030          可変
像面       ∞
非球面データ
第６面
k=0.0000
A4=3.5684e-005,A6=-7.3312e-008,A8=0.0000e+000,
A10=0.0000e+000,A12=0.0000e+000,A14=0.0000e+000
第７面
k=0.0000
A4=2.3193e-005,A6=3.9017e-007,A8=-9.5112e-010,
A10=5.4619e-011,A12=0.0000e+000,A14=0.0000e+000
第１１面
k=0.0000
A4=4.3153e-005,A6=2.5210e-007,A8=-8.9826e-010,
A10=-3.4890e-012,A12=0.0000e+000,A14=0.0000e+000
第１２面
k=0.0000
A4=1.2446e-005,A6=4.8207e-008,A8=-1.2565e-009,
A10=0.0000e+000,A12=0.0000e+000,A14=0.0000e+000
第１４面
k=0.0000
A4=-3.1521e-005,A6=4.0187e-008,A8=-5.9613e-010,
A10=7.2686e-013,A12=0.0000e+000,A14=0.0000e+000
第１５面
k=0.0000
A4=5.3000e-005,A6=-8.2690e-008,A8=2.4317e-011,
A10=0.0000e+000,A12=0.0000e+000,A14=0.0000e+000
第２０面
k=0.0000
A4=-6.9843e-006,A6=5.9426e-008,A8=0.0000e+000,
A10=0.0000e+000,A12=0.0000e+000,A14=0.0000e+000
第２３面
k=0.0000
A4=6.3774e-006,A6=-3.5640e-008,A8=0.0000e+000,
A10=0.0000e+000,A12=0.0000e+000,A14=0.0000e+000
ズームデータ
広角端          中間          望遠端
ｆ                 12.372         35.588         98.005
ＦＮＯ．            4.061          4.074          4.072
２ω               90.6           32.5           12.2
ＦＢ               18.362         16.649         15.680
全長              101.728        123.637        159.102
d5                  0.500         19.263         43.611
d12                19.800          5.761          1.000
d20                 2.000         16.819         17.988
d23                 4.426          8.505         24.183
d26                18.362         16.649         15.680
各群焦点距離
f1=88.672   f2=-11.551   f3=20.203   f4=-56.871   f5=55.303
【０３３６】
数値実施例２
単位  ｍｍ
面データ
面番号        r              d             nd             νd
物面        ∞             ∞
1       57.514          1.400        1.90366          31.32
2       43.202          7.500        1.49700          81.61
3      344.317          0.200
4       63.135          4.200        1.49700          81.61
5      222.298          可変
6*     468.367          1.200        1.80139          45.45
7*      13.283          5.632
8      -43.235          1.218        1.80400          46.58
9       94.296          0.150
10      105.915          2.674        1.85478          24.80
11      -37.594          2.241
12*     -14.220          0.900        1.49700          81.61
13*    1214.972          0.100
14       78.971          2.200        1.80000          29.84
15     -105.866          可変
16(絞り)   ∞            可変
17*      17.072          6.696        1.58913          61.14
18*     -41.817          0.379
19       37.316          4.232        1.49700          81.61
20      -38.028          0.100
21     7385.309          0.800        1.91082          35.25
22       11.565          6.395        1.49700          81.61
23      -39.166          可変
24      888.684          0.700        1.71999          50.23
25       13.659          1.800        1.80810          22.76
26       18.913          可変  
27*      36.240          6.000        1.49700          81.61
28*     -44.083         15.700
像面        ∞
非球面データ
第６面
k=0.0000
A4=-2.5765e-006,A6=2.0798e-007,A8=-8.1344e-010,
A10=1.2111e-012,A12=0.0000e+000,A14=0.0000e+000
第７面
k=0.0000
A4=-3.9505e-005,A6=2.7652e-007,A8=-1.5931e-009,
A10=2.8563e-011,A12=0.0000e+000,A14=0.0000e+000
第１２面
k=0.0000
A4=-1.3529e-005,A6=3.9708e-007,A8=6.2625e-010,
A10=-1.5563e-011,A12=0.0000e+000,A14=0.0000e+000
第１３面
k=0.0000
A4=-1.4948e-005,A6=4.4034e-007,A8=-2.8038e-009,
A10=3.4123e-013,A12=0.0000e+000,A14=0.0000e+000
第１７面
k=0.0000
A4=-3.1826e-005,A6=9.3015e-009,A8=2.7312e-010,
A10=-2.3047e-012,A12=0.0000e+000,A14=0.0000e+000
第１８面
k=0.0000
A4=3.7300e-005,A6=-1.2953e-008,A8=5.8604e-010,
A10=-2.3311e-012,A12=0.0000e+000,A14=0.0000e+000
第２７面
k=0.0000
A4=2.2320e-005,A6=1.2133e-008,A8=-2.4420e-010,
A10=1.3290e-013,A12=0.0000e+000,A14=0.0000e+000
第２８面
k=0.0000
A4=3.2583e-005,A6=-3.6593e-008,A8=-1.9488e-010,
A10=0.0000e+000,A12=0.0000e+000,A14=0.0000e+000
ズームデータ
広角端          中間          望遠端
ｆ                 12.250         34.428         98.042
ＦＮＯ．            4.082          4.070          4.053
２ω               83.4           34.1           12.2
ＦＢ               15.700         15.700         15.700
全長              109.613        129.583        155.109
d5                  0.641         20.611         46.138
d15                19.976          6.650          1.513
d16                 9.840          5.993          1.532
d23                 1.993          8.426         16.174
d26                 4.745         15.485         17.335
各群焦点距離
f1=95.323   f2= -13.174   f3=20.222   f4=-28.452   f5=41.036
【０３３７】
数値実施例３
単位  ｍｍ
面データ
面番号        r              d             nd             νd
物面        ∞             ∞
1       85.868          2.250        1.85478          24.80
2       60.902          6.000        1.49700          81.54
3    -1493.460          0.150
4       48.944          4.602        1.49700          81.54
5      134.439          可変
6      174.592          1.500        1.88300          40.76
7       12.382          5.950
8*     -61.925          1.600        1.49700          81.54
9*      34.608          1.091
10     6000.000          5.664        1.85478          24.80
11      -20.382          0.997
12*     -15.460          1.200        1.80610          40.92
13*     -33.768          可変
14(絞り)   ∞            可変
15*      21.437          4.468        1.58313          59.38
16*    -302.665          3.401
17       35.824          3.367        1.49700          81.54
18      -89.832          0.200
19       55.128          1.000        1.91082          35.25
20       13.177          3.413        1.53996          59.46
21       26.168          1.200
22       22.428          1.150        1.74077          27.79
23       18.137          6.467        1.49700          81.54
24*     -40.530          可変
25     -409.537          0.900        1.80610          40.92
26       13.247          2.996        1.80810          22.76
27       25.765          可変
28*      49.615          9.340        1.59201          67.02
29      -17.859          1.300        1.90366          31.32
30      -32.538         15.322
像面        ∞
非球面データ
第８面
k=0.0000
A4=-1.9753e-005,A6=-2.4680e-007,A8=3.0050e-010,
A10=0.0000e+000,A12=0.0000e+000,A14=0.0000e+000
第９面
k=0.0000
A4=-3.5396e-005,A6=-2.9197e-007,A8=0.0000e+000,
A10=0.0000e+000,A12=0.0000e+000,A14=0.0000e+000
第１２面
k=0.0000
A4=1.3572e-005,A6=5.8250e-008,A8=0.0000e+000,
A10=0.0000e+000,A12=0.0000e+000,A14=0.0000e+000
第１３面
k=0.0000
A4=-1.2282e-005,A6=0.0000e+000,A8=0.0000e+000,
A10=0.0000e+000,A12=0.0000e+000,A14=0.0000e+000
第１５面
k=0.0000
A4=-8.8594e-006,A6=-8.6927e-009,A8=-4.7820e-011,
A10=-1.0166e-014,A12=0.0000e+000,A14=0.0000e+000
第１６面
k=0.0000
A4=1.3582e-005,A6=-1.4620e-008,A8=0.0000e+000,
A10=0.0000e+000,A12=0.0000e+000,A14=0.0000e+000
第２４面
k=0.0000
A4=1.7867e-005,A6=1.1887e-008,A8=-4.8566e-011,
A10=0.0000e+000,A12=0.0000e+000,A14=0.0000e+000
第２８面
k=0.0000
A4=2.4885e-006,A6=2.0316e-008,A8=0.0000e+000,
A10=0.0000e+000,A12=0.0000e+000,A14=0.0000e+000
ズームデータ
広角端          中間          望遠端
ｆ                 12.238         34.627         97.981
ＦＮＯ．            4.075          4.075          4.073
２ω               84.5           34.2           12.3
ＦＢ               15.322         15.322         15.322
全長              131.582        137.230        166.417
d5                  0.600         14.011         44.110
d13                17.691          6.972          1.000
d14                21.000          5.014          1.506
d24                 2.500         13.300         19.586
d27                 4.263         12.406         14.689
各群焦点距離
f1=91.703   f2=-14.082   f3=24.409   f4=-30.024   f5=46.269
【０３３８】
数値実施例４
単位  ｍｍ
面データ
面番号        r              d             nd             νd
物面        ∞             ∞
1       90.000          2.300        1.85478          24.80
2       65.592          7.382        1.49700          81.54
3         ∞            0.150
4       59.096          5.131        1.49700          81.54
5      173.762          可変
6*     464.875          1.500        1.88202          37.22
7*      14.784          7.450
8      -20.119          1.200        1.61800          63.40
9       35.728          5.000        2.00069          25.46
10      -33.690          1.914
11      -19.739          1.300        1.88300          40.76
12      -42.267          可変
13(絞り)   ∞            1.500
14*      23.000          5.000        1.58313          59.38
15*    -262.448          3.259
16       43.079          3.715        1.49700          81.54
17      -41.898          0.400
18       85.095          1.000        1.91082          35.25
19       15.097          3.279        1.49700          81.54
20       45.596          1.200
21       23.870          0.800        1.85478          24.80
22       17.905          5.079        1.58313          59.38
23*     -53.454          可変
24      155.034          0.900        1.83481          42.73
25       10.571          3.278        1.80809          22.76
26       17.967          可変
27*      59.278          9.078        1.49700          81.54
28      -17.171          1.300        2.00100          29.13
29      -22.118         16.052
像面        ∞
非球面データ
第６面
k=0.0000
A4=-5.5689e-006,A6=1.3408e-007,A8=-4.4733e-010,
A10=7.1015e-013,A12=0.0000e+000,A14=0.0000e+000
第７面
k=0.0000
A4=-2.8514e-005,A6=6.4243e-008,A8=1.9884e-010,
A10=2.2609e-012,A12=0.0000e+000,A14=0.0000e+000
第１４面
k=0.0000
A4=-5.3982e-006,A6=-2.4500e-008,A8=5.7642e-012,
A10=-3.0015e-014,A12=0.0000e+000,A14=0.0000e+000
第１５面
k=0.0000
A4=2.4015e-005,A6=-2.9581e-008,A8=2.3042e-011,
A10=0.0000e+000,A12=0.0000e+000,A14=0.0000e+000
第２３面
k=0.0000
A4=9.6902e-006,A6=1.3598e-008,A8=-1.8927e-012,
A10=3.3501e-013,A12=0.0000e+000,A14=0.0000e+000
第２７面
k=0.0000
A4=-3.7000e-006,A6=3.8872e-008,A8=-3.7481e-011,
A10=0.0000e+000,A12=0.0000e+000,A14=0.0000e+000
ズームデータ
広角端          中間          望遠端
ｆ                 12.239         34.636         97.921
ＦＮＯ．            4.080          4.080          4.080
２ω               83.3           33.8           12.1
ＦＢ               16.052         16.052         16.052
全長              131.58         146.438        172.588
d5                  0.600         22.300         51.610
d12                34.928         12.189          1.321
d23                 2.400          9.868         17.863
d27                 4.485         12.915         12.627
各群焦点距離
f1=104.212   f2=-13.280   f3=22.297   f4= -23.946   f5=41.573
【０３３９】
数値実施例５
単位  ｍｍ
面データ
面番号        r              d             nd             νd
物面        ∞             ∞
1      103.528          2.100        1.90366          31.32
2       66.407          7.069        1.49700          81.54
3    -1175.958          0.150
4       55.990          5.410        1.49700          81.54
5      218.620          可変
6*     547.313          1.500        1.80610          40.88
7*      14.637          6.141
8      -47.513          1.100        1.88300          40.76
9       31.696          0.000
10       31.696          3.987        1.72825          28.46
11      -44.962          2.095
12      -16.749          1.000        1.49700          81.54
13       55.628          2.688        1.91082          35.25
14      -63.523          可変
15(絞り)   ∞            可変
16*      23.283          3.762        1.58313          59.38
17*    -467.386          1.736
18       32.536          4.580        1.49700          81.54
19      -40.128          0.157
20       89.775          1.000        1.88300          40.76
21       14.365          3.130        1.49700          81.54
22       30.877          1.200
23       24.456          0.900        1.85478          24.80
24       16.410          5.200        1.58313          59.38
25*     -45.111          可変
26      871.626          0.900        1.72000          41.98
27       10.464          3.338        1.80810          22.76
28       15.385          可変
29*      35.348         10.327        1.49700          81.54
30      -16.421          1.300        1.90366          31.32
31      -25.684         15.233
像面       ∞
非球面データ
第６面
k=0.0000
A4=-2.8364e-006,A6=1.6908e-007,A8=-1.0182e-009,
A10=2.9041e-012,A12=-3.3911e-015,A14=0.0000e+000
第７面
k=0.0000
A4=-2.2090e-005,A6=2.2977e-007,A8=-9.9659e-010,
A10=9.5578e-012,A12=-4.0453e-014,A14=0.0000e+000
第１６面
k=0.0000
A4=-1.1596e-005,A6=-1.4295e-007,A8=1.2772e-009,
A10=-1.4071e-011,A12=0.0000e+000,A14=0.0000e+000
第１７面
k=0.0000
A4=1.8764e-005,A6=-1.4606e-007,A8=1.2128e-009,
A10=-1.3563e-011,A12=0.0000e+000,A14=0.0000e+000
第２５面
k=0.0000
A4=8.8921e-006,A6=8.7418e-009,A8=-3.1606e-010,
A10=6.3295e-012,A12=-3.8820e-014,A14=0.0000e+000
第２９面
k=0.0000
A4=5.3025e-006,A6=3.9054e-008,A8=-4.7497e-012,
A10=-1.9075e-013,A12=7.9584e-016,A14=0.0000e+000
ズームデータ
広角端          中間          望遠端
ｆ                 12.232         34.291        100.530
ＦＮＯ．            4.080          4.079          4.080
２ω               84.5           34.0           11.9
ＦＢ               15.233         15.233         15.233
全長              134.679        141.237        170.377
d5                  0.600         21.709         52.560
d14                30.550          8.755          1.000
d15                10.000          4.700          1.500
d26                 1.700         10.085         16.190
d29                 5.825          9.984         13.124
各群焦点距離
f1=103.872   f2=-14.425   f3=22.375   f4=-23.604   f5=42.251
【０３４０】
数値実施例６
単位  ｍｍ
面データ
面番号        r              d             nd             νd
物面        ∞             ∞
1       76.710          2.200        1.85478          24.80
2       58.604          5.389        1.49700          81.61
3      635.668          0.150
4       56.439          3.626        1.49700          81.61
5      140.492          可変
6*     200.000          1.800        1.74320          49.34
7*      12.374          8.850
8      -20.267          1.200        1.49700          81.61
9     -332.236          3.198        1.85478          24.80
10      -23.822          1.064
11*     -17.262          1.200        1.74320          49.34
12*     -36.569          可変
13(絞り)   ∞            1.500
14*      20.060          4.952        1.58313          59.38
15*    -155.822          1.782
16       34.309          4.568        1.48749          70.23
17      -46.826          0.417
18      173.112          1.000        1.91082          35.25
19       12.971          4.545        1.49700          81.61
20       41.229          1.000
21*      24.835          4.551        1.49700          81.61
22*     -41.414          可変
23      158.700          1.000        1.88300          40.80
24       12.593          2.082        1.89286          20.36
25       18.843          可変  
26       38.408          1.400        1.92286          18.90
27       32.340          6.750        1.49700          81.61
28*     -31.711         15.320
像面       ∞
非球面データ
第６面
k=0.0000
A4=-4.9802e-006,A6=2.7430e-008,A8=-4.5015e-012,
A10=0.0000e+000,A12=0.0000e+000,A14=0.0000e+000
第７面
k=0.0000
A4=-3.0291e-005,A6=-9.0575e-008,A8=-8.4857e-010,
A10=0.0000e+000,A12=0.0000e+000,A14=0.0000e+000
第１１面
k=0.0000
A4=9.7473e-006,A6=-5.3009e-008,A8=-9.7378e-011,
A10=0.0000e+000,A12=0.0000e+000,A14=0.0000e+000
第１２面
k=0.0000
A4=-4.8913e-006,A6=-8.0015e-008,A8=4.0951e-012,
A10=0.0000e+000,A12=0.0000e+000,A14=0.0000e+000
第１４面
k=0.0000
A4=-1.1749e-005,A6=-2.4832e-009,A8=-4.7360e-011,
A10=0.0000e+000,A12=0.0000e+000,A14=0.0000e+000
第１５面
k=0.0000
A4=1.8806e-005,A6=6.4442e-009,A8=1.5000e-011,
A10=0.0000e+000,A12=0.0000e+000,A14=0.0000e+000
第２１面
k=0.0000
A4=-1.0679e-005,A6=1.0015e-009,A8=0.0000e+000,
A10=0.0000e+000,A12=0.0000e+000,A14=0.0000e+000
第２２面
k=0.0000
A4=8.1649e-006,A6=0.0000e+000,A8=0.0000e+000,
A10=0.0000e+000,A12=0.0000e+000,A14=0.0000e+000
第２８面
k=0.0000
A4=6.2872e-006,A6=-2.3159e-008,A8=3.1313e-011,
A10=0.0000e+000,A12=0.0000e+000,A14=0.0000e+000
ズームデータ
広角端          中間          望遠端
ｆ                 12.239         34.633         98.020
ＦＮＯ．            4.058          4.064          4.078
２ω               85.8           34.2           12.2
ＦＢ               15.320         15.320         15.320
全長              128.08         140.328        166.594
d5                  0.600         18.176         46.140
d12                38.318         13.608          1.000
d22                 2.500         10.701         23.133
d25                 7.119         18.300         16.778
各群焦点距離
f1=104.489   f2=-14.099   f3=23.071   f4=-24.650   f5=38.903
【０３４１】
数値実施例７
単位  ｍｍ
面データ
面番号        r              d             nd             νd
物面        ∞             ∞
1       80.000          2.250        1.85478          24.80
2       59.167          5.626        1.49700          81.54
3      546.310          0.150
4       51.514          4.590        1.49700          81.54
5      174.852          可変
6*    -222.088          1.500        1.88202          37.22
7*      15.586          8.174
8      -20.946          1.000        1.61800          63.40
9       41.170          5.035        2.00069          25.46
10      -36.009          3.347
11      -18.651          1.000        1.88300          40.76
12      -29.364          可変
13(絞り)   ∞            1.500
14*      20.100          4.452        1.58313          59.38
15*     -87.433          2.452
16     -179.947          3.465        1.49700          81.54
17      -22.336          0.809
18      442.634          1.000        1.91082          35.25
19       17.416          2.402        1.49700          81.54
20       31.167          1.300
21       23.658          1.100        1.95375          32.31
22       13.218          5.897        1.72916          54.68
23      -59.692          可変
24      417.171          0.900        1.83481          42.73
25       11.189          3.042        1.80810          22.76
26       18.964          可変
27*      65.196          9.352        1.49700          81.54
28      -16.001          1.300        1.90366          31.32
29      -20.290         15.122
像面       ∞
非球面データ
第６面
k=0.0000
A4=7.1131e-006,A6=5.6112e-008,A8=-2.2970e-010,
A10=3.6374e-013,A12=0.0000e+000,A14=0.0000e+000
第７面
k=0.0000
A4=-2.0193e-005,A6=3.1058e-008,A8=2.4791e-010,A
10=-1.9050e-012,A12=0.0000e+000,A14=0.0000e+000
第１４面
k=0.0000
A4=-1.2537e-006,A6=6.4298e-008,A8=5.3707e-011,
A10=7.1636e-013,A12=0.0000e+000,A14=0.0000e+000
第１５面
k=0.0000
A4=5.6025e-005,A6=8.3512e-008,A8=3.2703e-010,
A10=0.0000e+000,A12=0.0000e+000,A14=0.0000e+000
第２７面
k=0.0000
A4=-1.2610e-005,A6=1.6806e-008,A8=3.1468e-011,
A10=0.0000e+000,A12=0.0000e+000,A14=0.0000e+000
ズームデータ
広角端          中間          望遠端
ｆ                 12.238         30.963         78.455
ＦＮＯ．            4.080          4.080          4.079
２ω               83.1           37.7           15.1
ＦＢ               15.122         15.122         15.122
全長              130.303        136.766        158.575
d5                  0.600         14.507         39.496
d12                35.599         12.430          1.200
d23                 2.886          9.471         17.007
d26                 4.455         13.593         14.108
各群焦点距離
f1=94.859   f2=-13.920   f3=22.454   f4=-23.266   f5=37.967
【０３４２】
数値実施例８
単位  ｍｍ
面データ
面番号        r              d             nd             νd
物面        ∞             ∞
1       88.362          2.200        1.85478          24.80
2       65.713          5.265        1.49700          81.61
3      804.941          0.150
4       56.711          4.040        1.49700          81.61
5      150.833          可変
6*     200.000          1.800        1.74320          49.34
7*      12.446          9.250
8      -21.103          1.200        1.49700          81.61
9     -346.622          3.486        1.85478          24.80
10      -22.905          1.035
11*     -17.268          1.200        1.74320          49.34
12*     -42.882          可変
13(絞り)   ∞            1.500
14*      21.818          4.671        1.58313          59.38
15*    -222.346          1.854
16       32.622          4.522        1.48749          70.23
17      -60.155          0.300
18       70.858          1.000        1.91082          35.25
19       13.249          4.365        1.51823          58.90
20       32.193          1.000
21       22.863          1.000        1.74077          27.79
22       17.843          0.200               
23*      17.993          5.711        1.49700          81.61
24*     -41.482          可変
25      766.427          1.000        1.88300          40.80
26       13.824          2.028        1.89286          20.36
27       21.179          可変
28       34.859          1.400        1.92286          18.90
29       30.846          6.759        1.49700          81.61
30*     -31.743         15.319
像面       ∞
非球面データ
第６面
k=0.0000
A4=-1.7203e-006,A6=1.7291e-008,A8=-4.1594e-012,
A10=0.0000e+000,A12=0.0000e+000,A14=0.0000e+000
第７面
k=0.0000
A4=-2.4489e-005,A6=-9.9069e-008,A8=-3.5578e-010,
A10=-1.9169e-012,A12=0.0000e+000,A14=0.0000e+000
第１１面
k=0.0000
A4=6.7356e-006,A6=-1.6986e-008,A8=-1.4198e-011,
A10=0.0000e+000,A12=0.0000e+000,A14=0.0000e+000
第１２面
k=0.0000
A4=-7.1761e-006,A6=-4.9345e-008,A8=0.0000e+000,
A10=0.0000e+000,A12=0.0000e+000,A14=0.0000e+000
第１４面
k=0.0000
A4=-7.8682e-006,A6=-1.6447e-008,A8=8.3392e-011,
A10=-6.6610e-013,A12=0.0000e+000,A14=0.0000e+000
第１５面
k=0.0000
A4=1.6823e-005,A6=-4.5088e-009,A8=5.1032e-011,
A10=-5.4726e-013,A12=0.0000e+000,A14=0.0000e+000
第２３面
k=0.0000
A4=-5.6000e-006,A6=-9.0015e-010,A8=0.0000e+000,
A10=0.0000e+000,A12=0.0000e+000,A14=0.0000e+000
第２４面
k=0.0000
A4=1.0524e-005,A6=1.6467e-010,A8=-2.3347e-011,
A10=0.0000e+000,A12=0.0000e+000,A14=0.0000e+000
第３０面
k=0.0000
A4=1.0800e-005,A6=-2.4680e-008,A8=4.9501e-011,
A10=0.0000e+000,A12=0.0000e+000,A14=0.0000e+000
ズームデータ
広角端          中間          望遠端
ｆ                 12.239         34.633         98.018
ＦＮＯ．            2.878          3.860          4.043
２ω               85.7           34.0           12.2
ＦＢ               15.319         15.319         15.319
全長              129.944        143.433        174.594
d5                  0.600         19.600         49.206
d12                36.886         12.427          1.000
d24                 2.500         12.333         25.231
d27                 7.702         16.817         16.902
各群焦点距離
f1=109.656   f2=-13.878   f3=23.480   f4=-24.886   f5=36.530
【０３４３】
数値実施例９
単位  ｍｍ
面データ
面番号        r              d             nd             νd
物面        ∞             ∞
1       90.000          2.300        1.85478          24.80
2       65.592          7.382        1.53775          74.70
3      800.000          0.150
4       63.000          5.131        1.53775          74.70
5      173.762          可変
6*     464.875          1.500        1.88202          37.22
7*      14.784          7.450
8      -20.119          1.200        1.61800          63.40
9       35.728          5.000        2.00069          25.46
10      -33.690          1.914
11      -19.739          1.300        1.88202          37.22
12      -42.267          可変
13(絞り)   ∞            1.500
14*      23.000          5.000        1.58313          59.38
15*    -262.448          3.259
16       48.000          3.715        1.53775          74.70
17      -44.500          0.400
18       85.095          1.000        1.91082          35.25
19       15.097          3.279        1.48749          70.23
20       45.596          1.200
21       23.870          0.800        1.85478          24.80
22       17.905          5.079        1.58313          59.38
23*     -53.454          可変
24      155.034          0.900        1.83481          42.73
25       10.571          3.278        1.80809          22.76
26       17.967          可変
27*      59.278          9.078        1.49700          81.54
28      -17.171          1.300        2.00100          29.13
29      -22.118          可変
像面       ∞
非球面データ
第６面
k=0.0000
A4=-5.5689e-006,A6=1.3408e-007,A8=-4.4733e-010,
A10=7.1015e-013,A12=0.0000e+000,A14=0.0000e+000
第７面
k=0.0000
A4=-3.7000e-005,A6=6.4243e-008,A8=1.0000e-011,
A10=2.2609e-012,A12=0.0000e+000,A14=0.0000e+000
第１４面
k=0.0000
A4=-5.3982e-006,A6=-2.4500e-008,A8=2.2000e-011,
A10=-3.0015e-014,A12=0.0000e+000,A14=0.0000e+000
第１５面
k=0.0000
A4=2.4015e-005,A6=-2.9581e-008,A8=2.3042e-011,
A10=0.0000e+000,A12=0.0000e+000,A14=0.0000e+000
第２３面
k=0.0000
A4=9.6902e-006,A6=1.3598e-008,A8=-1.8927e-012,
A10=3.3501e-013,A12=0.0000e+000,A14=0.0000e+000
第２７面
k=0.0000
A4=-3.7000e-006,A6=3.8872e-008,A8=-3.7481e-011,
A10=0.0000e+000,A12=0.0000e+000,A14=0.0000e+000
ズームデータ
広角端          中間          望遠端
ｆ                 12.438         34.965         98.119
ＦＮＯ．            4.144          4.128          4.147
２ω               81.2           33.4           12.1  
ＦＢ               17.012         18.052         19.805
全長              132.5397       148.437        176.3413   
d5                  0.600         22.300         51.610
d12                34.928         12.189          1.321
d23                 2.400          9.868         17.863
d26                 4.485         12.915         12.627
d29                17.012         18.052         19.805
各群焦点距離
f1=105.827   f2=-13.288   f3=22.460   f4=-23.946   f5=41.573
【０３４４】
数値実施例１０
単位  ｍｍ
面データ
面番号        r              d             nd             νd
物面        ∞             ∞
1       90.000          2.300        1.85478          24.80
2       65.592          7.382        1.53775          74.70
3      800.000          0.150
4       63.000          5.131        1.53775          74.70
5      173.762          可変
6*     464.875          1.500        1.88202          37.22
7*      14.784          7.450
8      -20.119          1.200        1.59282          68.63
9       35.728          5.000        2.00100          29.13
10      -33.690          1.914
11      -19.739          1.300        1.88300          40.76
12      -42.267          可変
13(絞り)   ∞            1.500
14*      23.000          5.000        1.58313          59.38
15*    -262.448          3.259
16       48.000          3.715        1.53996          59.46
17      -44.500          0.400
18       85.095          1.000        1.91082          35.25
19       15.097          3.279        1.48749          70.23
20       45.596          1.200
21       23.870          0.800        1.85478          24.80
22       17.905          5.079        1.58313          59.38
23*     -53.454          可変
24      155.034          0.900        1.83481          42.73
25       10.571          3.278        1.80518          25.42
26       17.967          可変
27*      59.278          9.078        1.49700          81.54
28      -17.171          1.300        1.95375          32.32
29      -22.118          可変
像面       ∞
非球面データ
第６面
k=0.0000
A4=-5.5689e-006,A6=1.3408e-007,A8=-4.4733e-010,
A10=7.8000e-013,A12=0.0000e+000,A14=0.0000e+000
第７面
k=0.0000
A4=-3.7000e-005,A6=6.4243e-008,A8=1.0000e-011,
A10=2.2609e-012,A12=0.0000e+000,A14=0.0000e+000
第１４面
k=0.0000
A4=-5.6000e-006,A6=-2.4500e-008,A8=2.2000e-011,
A10=-3.0015e-014,A12=0.0000e+000,A14=0.0000e+000
第１５面
k=0.0000
A4=2.4015e-005,A6=-2.9581e-008,A8=2.3042e-011,
A10=0.0000e+000,A12=0.0000e+000,A14=0.0000e+000
第２３面
k=0.0000
A4=9.6902e-006,A6=1.3598e-008,A8=-1.8927e-012,
A10=3.3501e-013,A12=0.0000e+000,A14=0.0000e+000
第２７面
k=0.0000
A4=-1.0000e-005,A6=3.8872e-008,A8=-3.7481e-011,
A10=0.0000e+000,A12=0.0000e+000,A14=0.0000e+000
ズームデータ
広角端          中間          望遠端
ｆ                 12.584         34.890         95.501
ＦＮＯ．            4.100          4.100          4.100
２ω               79.4           33.0           12.3
ＦＢ               16.276         15.467         13.660
全長              131.804        145.853        170.1962
d5                  0.600         22.300         51.610
d12                34.928         12.189          1.321
d23                 2.400          9.868         17.863
d26                 4.485         12.915         12.627
d29                16.276         15.467         13.660
各群焦点距離
f1=105.827   f2=-13.813   f3=22.426   f4=-23.868   f5=40.734
【０３４５】
数値実施例１１
単位  ｍｍ
面データ
面番号        r              d             nd             νd
物面        ∞             ∞
1       79.408          2.000        1.85478          24.80
2       59.668          5.539        1.49700          81.61
3      235.475          0.150
4       53.577          4.446        1.49700          81.61
5      233.265          可変
6*     198.906          1.800        1.80610          40.92
7*      14.495         11.300
8      -22.422          1.200        1.49700          81.61
9      369.232          4.042        1.85478          24.80
10      -33.522          0.470
11*     -30.265          1.200        1.80610          40.92
12*     -52.305          可変
13(絞り)   ∞            1.500
14*      24.819          6.000        1.58313          59.38
15*     -59.945          0.966
16       45.695          6.394        1.54814          45.79
17      -29.322          1.000        1.83481          42.73
18      -40.872          0.512
19     -430.143          1.000        1.90366          31.32
20       16.022          8.019        1.49700          81.61
21      -29.237          可変
22       76.020          1.000        1.88300          40.80
23       11.751          1.960        1.89286          20.36
24       15.630          可変
25      -70.763          1.000        1.83481          42.73
26      110.058          0.300
27*      33.654          7.739        1.49700          81.61
28*     -20.834          可変
像面       ∞
非球面データ
第６面
k=0.0000
A4=-8.6297e-006,A6=2.5958e-008,A8=-2.1256e-011,
A10=0.0000e+000,A12=0.0000e+000,A14=0.0000e+000
第７面
k=0.0000
A4=-2.0264e-005,A6=-9.4477e-008,A8=2.9605e-010,
A10=-2.2803e-012,A12=0.0000e+000,A14=0.0000e+000
第１１面
k=0.0000
A4=7.7031e-006,A6=-6.1316e-008,A8=2.1189e-012,
A10=0.0000e+000,A12=0.0000e+000,A14=0.0000e+000
第１２面
k=0.0000
A4=6.7012e-007,A6=-5.7023e-008,A8=0.0000e+000,
A10=0.0000e+000,A12=0.0000e+000,A14=0.0000e+000
第１４面
k=0.0000
A4=-8.1238e-006,A6=2.4677e-008,A8=-3.5824e-011,
A10=5.0000e-014,A12=0.0000e+000,A14=0.0000e+000
第１５面
k=0.0000
A4=2.1718e-005,A6=1.7140e-008,A8=0.0000e+000,
A10=0.0000e+000,A12=0.0000e+000,A14=0.0000e+000
第２７面
k=0.0000
A4=-2.1241e-005,A6=1.3862e-008,A8=0.0000e+000,
A10=0.0000e+000,A12=0.0000e+000,A14=0.0000e+000
第２８面
k=0.0000
A4=5.1554e-006,A6=-2.0026e-008,A8=3.4886e-011,
A10=0.0000e+000,A12=0.0000e+000,A14=0.0000e+000
ズームデータ
広角端          中間          望遠端
ｆ                 12.241         34.633         98.028
ＦＮＯ．            4.080          4.080          4.080
２ω               85.6           34.1           12.1
ＦＢ               18.479         15.332         15.660
全長              160.398        160.398        160.398
d5                  0.600         20.300         36.609
d12                63.803         28.711          1.000
d21                 2.500          6.739         21.329
d24                 5.478         19.778         16.262
d28                18.479         15.332         15.660
各群焦点距離
f1=102.083   f2=-17.283   f3=24.786   f4=-22.943   f5=49.460
【０３４６】
数値実施例１２
単位  ｍｍ
面データ
面番号        r              d             nd             νd
物面        ∞             ∞
1       73.887          2.000        1.85478          24.80
2       56.556          5.991        1.49700          81.61
3      323.743          0.150
4       57.323          3.990        1.49700          81.61
5      192.585          可変
6      199.559          1.800        1.88300          40.76
7       15.042          8.440
8*     -43.065          1.200        1.49700          81.61
9      254.272          7.448        1.85478          24.80
10      -25.917          1.346
11*     -19.230          1.200        1.80610          40.92
12*     -54.478          可変
13(絞り)   ∞            可変
14*      23.015          6.183        1.58313          59.38
15*     -70.285          0.481
16       74.535          5.214        1.57099          50.80
17      -37.787          1.000        1.83481          42.73
18      -41.275          0.501
19     4240.886          1.000        1.90366          31.32
20       16.865          8.185        1.49700          81.61
21      -27.974          可変
22      941.015          1.000        1.88300          40.80
23       12.413          3.212        1.89286          20.36
24       18.593          可変
25       76.706          1.000        1.83481          42.73
26       34.645          0.300
27       27.574          6.203        1.49700          81.61
28      -34.758         21.100
像面       ∞
非球面データ 
第８面
k=5.4219
A4=2.8880e-005,A6=-9.5092e-008,A8=-3.1381e-010,
A10=0.0000e+000,A12=0.0000e+000,A14=0.0000e+000
第１１面
k=-0.5456
A4=2.2461e-005,A6=1.4225e-007,A8=-1.9185e-010,
A10=0.0000e+000,A12=0.0000e+000,A14=0.0000e+000
第１２面
k=-9.0527
A4=1.4885e-005,A6=4.7628e-008,A8=-2.2602e-010,
A10=0.0000e+000,A12=0.0000e+000,A14=0.0000e+000
第１４面
k=0.0000
A4=-7.8664e-006,A6=1.8014e-008,A8=-2.2097e-011,
A10=0.0000e+000,A12=0.0000e+000,A14=0.0000e+000
第１５面
k=0.0000
A4=3.0706e-005,A6=1.2196e-008,A8=1.0207e-012,
A10=0.0000e+000,A12=0.0000e+000,A14=0.0000e+000
ズームデータ
広角端          中間          望遠端
ｆ                 12.304         34.573         98.479
ＦＮＯ．            4.100          4.100          4.100
２ω               84.8           34.6           12.1
ＦＢ               21.100         21.100         21.100
全長              160.998        160.998        160.998
d5                  0.598         21.445         40.743
d12                41.332         20.494          1.188
d13                23.807          7.983          0.913
d21                 1.880          6.012         18.198
d24                 4.438         16.122         11.014
各群焦点距離
f1=102.015   f2=-17.323   f3= 23.915   f4=-21.680   f5=52.920
【０３４７】
数値実施例１３
単位  ｍｍ
面データ
面番号        r              d             nd             νd
物面        ∞             ∞
1       84.112          2.000        1.85478          24.80
2       63.072          5.787        1.49700          81.61
3      541.140          0.150
4       54.160          4.372        1.49700          81.61
5      207.880          可変  
6      163.461          1.800        1.88300          40.76
7       16.593          9.402
8*     -21.474          1.200        1.49700          81.61
9*     137.235          0.200
10   332001.250          5.331        1.85478          24.80
11      -27.704          2.869
12      -18.646          1.200        1.80610          40.92
13      -28.723          可変
14(絞り)   ∞            可変 
15*      22.214          6.638        1.58313          59.38
16*     -66.357          0.169
17       57.820          4.990        1.54814          45.79
18      -47.153          1.000        1.83481          42.73
19      -50.946          0.217
20      749.388          1.000        1.90366          31.32
21       15.820          8.703        1.49700          81.61
22      -32.469          可変
23      361.077          1.000        1.88300          40.80
24       12.943          3.228        1.89286          20.36
25       18.839          可変
26       60.646          1.000        1.83481          42.73
27       31.523          0.300
28       27.131          6.124        1.49700          81.61
29      -34.293         20.650
像面       ∞
非球面データ
第８面
k=0.6333
A4=1.8614e-005,A6=-1.2451e-008,A8=3.9104e-010,
A10=0.0000e+000,A12=0.0000e+000,A14=0.0000e+000
第９面
k=3.9864
A4=-2.0845e-005,A6=-1.9826e-008,A8=1.0492e-011,
A10=0.0000e+000,A12=0.0000e+000,A14=0.0000e+000
第１５面
k=0.0000
A4=-1.1463e-005,A6=-3.0389e-009,A8=3.3649e-011,
A10=0.0000e+000,A12=0.0000e+000,A14=0.0000e+000
第１６面
k=0.0000
A4=2.2780e-005,A6=-1.3444e-008,A8=8.0200e-011,
A10=0.0000e+000,A12=0.0000e+000,A14=0.0000e+000
ズームデータ
広角端          中間          望遠端
ｆ                 12.274         34.612         98.502
ＦＮＯ．            4.040          4.046          4.056
２ω               82.3           34.4           12.1  
ＦＢ               20.650         20.650         20.650
全長              160.548        160.548        160.548    
d5                  0.667         20.688         38.892
d13                39.423         19.402          1.198
d14                24.907          8.784          0.916
d22                 1.946          6.280         18.564
d25                 4.275         16.064         11.648
各群焦点距離
f1=96.751   f2=-17.287   f3=24.643   f4=-22.796   f5=50.430
【０３４８】
数値実施例１４
単位  ｍｍ
面データ
面番号        r              d             nd             νd
物面        ∞             ∞
1       87.558          2.200        1.85478          24.80
2       60.691          6.423        1.49700          81.54
3      440.007          0.150
4       73.906          5.103        1.65160          58.55
5      304.702          可変  
6*     657.311          1.800        1.80610          40.92
7*      15.035          9.898
8      -30.070          1.200        1.49700          81.54
9       26.309          5.063        1.92119          23.96
10     -185.120          0.995
11      -54.904          1.200        2.00069          25.46
12     -298.087          可変
13(絞り)   ∞            0.942
14*      24.194          3.775        1.58313          59.38
15*     -77.521          1.308
16      183.306          1.000        1.88300          40.76
17       24.629          3.694        1.49700          81.54
18      -54.780          1.177
19       40.868          1.000        2.00100          29.13
20       24.665          5.337        1.49700          81.54
21*     -19.586          可変
22     -186.897          2.495        1.75211          25.05
23      -14.655          1.000        1.74320          49.34
24*      14.081          可変
25       30.309          7.340        1.49700          81.54
26      -20.357          1.400        1.92286          20.88
27      -31.754         24.567
像面       ∞
非球面データ
第６面
k=-9.0113
A4=1.0190e-005,A6=-3.4485e-008,A8=6.5676e-011,
A10=-5.5320e-014,A12=0.0000e+000,A14=0.0000e+000
第７面
k=-0.2292
A4=1.0226e-005,A6=2.6993e-008,A8=-3.5447e-010,
A10=1.6036e-012,A12=0.0000e+000,A14=0.0000e+000
第１４面
k=0.0000
A4=4.8386e-006,A6=1.6207e-007,A8=9.4568e-010,
A10=0.0000e+000,A12=0.0000e+000,A14=0.0000e+000
第１５面
k=0.0000
A4=5.7409e-005,A6=1.8471e-007,A8=1.3158e-009,
A10=0.0000e+000,A12=0.0000e+000,A14=0.0000e+000
第２１面
k=0.0000
A4=3.5256e-006,A6=3.2055e-009,A8=0.0000e+000,
A10=0.0000e+000,A12=0.0000e+000,A14=0.0000e+000
第２４面
k=0.1042
A4=-3.2305e-005,A6=-1.0747e-007,A8=-1.6505e-009,
A10=0.0000e+000,A12=0.0000e+000,A14=0.0000e+000
ズームデータ
広角端          中間          望遠端
ｆ                 12.340         34.991         98.412
ＦＮＯ．            4.078          4.080          4.083
２ω               85.2           34.0           12.0  
ＦＢ               24.567         24.567         24.567
全長              167.07         138.291        165.744    
d5                  0.503         15.348         52.984
d12                55.517         11.892          1.708
d21                 1.864         10.536         14.506
d24                20.122         11.450          7.480
各群焦点距離
f1=106.397   f2=-14.409   f3=20.194   f4=-17.668   f5=41.759
【０３４９】
数値実施例１５
単位  ｍｍ
面データ
面番号        r              d             nd             νd
物面        ∞             ∞
1       96.723          2.200        1.85478          24.80
2       65.506          6.652        1.49700          81.54
3      902.604          0.150
4       78.718          4.955        1.65160          58.55
5      315.968          可変
6*     650.849          1.800        1.80610          40.92
7*      16.021          9.118
8      -44.184          1.200        1.49700          81.54
9       21.518          5.812        1.92119          23.96
10     -626.313          0.913
11      -70.937          1.200        2.00069          25.46
12      164.529          可変
13(絞り)   ∞            0.978
14*      24.562          3.334        1.58313          59.38
15*     -49.960          0.769
16      -91.780          1.000        1.88300          40.76
17       41.364          3.116        1.49700          81.54
18      -41.479          1.128
19       69.211          1.000        2.00100          29.13
20       33.816          5.038        1.49700          81.54
21*     -17.742          可変
22     -387.298          2.322        1.75211          25.05
23      -16.503          1.000        1.74320          49.34
24*      15.857          可変
25       36.916          8.589        1.49700          81.54
26      -19.371          1.400        1.92286          20.88
27      -28.706          可変
像面       ∞
非球面データ
第６面
k=0.0000
A4=1.3145e-005,A6=-6.5845e-008,A8=1.4733e-010,
A10=-1.2121e-013,A12=0.0000e+000,A14=0.0000e+000
第７面
k=0.0867
A4=6.5478e-006,A6=-2.4918e-008,A8=-4.0563e-010,
A10=2.4500e-013,A12=0.0000e+000,A14=0.0000e+000
第１４面
k=0.0000
A4=9.3433e-007,A6=2.6679e-007,A8=1.9714e-009,
A10=0.0000e+000,A12=0.0000e+000,A14=0.0000e+000
第１５面
k=0.0000
A4=6.5900e-005,A6=3.3926e-007,A8=2.5984e-009,
A10=0.0000e+000,A12=0.0000e+000,A14=0.0000e+000
第２１面
k=0.0000
A4=1.1164e-006,A6=-2.8877e-008,A8=2.0108e-010,
A10=0.0000e+000,A12=0.0000e+000,A14=0.0000e+000
第２４面
k=0.7014
A4=-3.6840e-005,A6=-1.7126e-007,A8=-1.6182e-009,
A10=0.0000e+000,A12=0.0000e+000,A14=0.0000e+000
ズームデータ
広角端          中間          望遠端
ｆ                 12.394         34.614         98.395
ＦＮＯ．            4.080          4.080          4.080
２ω               84.4           34.1           12.0
ＦＢ               27.235         26.770         21.664
全長              167.133        140.320        168.432
d5                  0.600         15.330         54.232
d12                54.446         12.902          2.101
d21                 1.804         11.287         17.737
d24                19.374         10.356          9.012
d27                27.235         26.770         21.664
各群焦点距離
f1=110.903   f2=-15.008   f3=20.731   f4=-20.649   f5=43.476
【０３５０】
以上の実施例１〜１５の収差図を、それぞれ図１６〜図３０に示す。各図中、”ＦＩＹ”は最大像高を示す。
【０３５１】
これらの収差図において、（ａ）、（ｂ）、（ｃ）、（ｄ）は、それぞれ、広角端における球面収差（ＳＡ）、非点収差（ＡＳ）、歪曲収差（ＤＴ）、倍率色収差（ＣＣ）を示す。
【０３５２】
また、（ｅ）、（ｆ）、（ｇ）、（ｈ）は、それぞれ、中間焦点距離状態における球面収差（ＳＡ）、非点収差（ＡＳ）、歪曲収差（ＤＴ）、倍率色収差（ＣＣ）を示す。
【０３５３】
また、（ｉ）、（ｊ）、（ｋ）、（ｌ）は、それぞれ、望遠端における球面収差（ＳＡ）、非点収差（ＡＳ）、歪曲収差（ＤＴ）、倍率色収差（ＣＣ）を示す。
【０３５４】
次に、各実施例における条件式（１）〜（２６）の値を掲げる。
条件式               実施例１      実施例２      実施例３
(1)Tp2G_min_p              0.01038       0.01038       0.01038
(2)νd1G_max_p            81.61         81.61         81.54
(3)nd2G_max_p              1.8548        1.8548        1.8548
(4)|f2/f3|              0.57          0.65          0.58
(5)f1/f3                4.39          4.71          3.76
(6)|Φmaxt/f2|           2.08          1.84          1.71
(7)νd2G_max_n            81.61        81.61         81.54
(8)νd3G_max_p            81.61        81.61         81.54
(9)νd4G_max_n-νd4G_min_p   33.96        27.47         18.16
(10)νd5G_min_p           81.61        81.61         67.02
(11)Tp2G_max_n             0.027876      0.027876      0.027876
(12)nd2G_max_n             1.74320       1.80400       1.88300
(13)Tp3G_max_p            0.027876      0.027876      0.027876
(14)LTLt/ft             1.62          1.58          1.7
(15)LTLw/ft             1.04          1.12          1.34
(16)f1/ft               0.9           0.97          0.94
(17)Tp1G_max_p            0.027876      0.027876      0.027876
(18)nd2G_n1               1.7432        1.804         1.883
(19)νdG3_IS_p-νdG3_IS_n    -             -           53.75
(20)νdG2_min_p          24.7985       24.7985       24.7985
(21)ft/expt            -0.170       -0.434         -0.487
(22)|f1/f2|             7.676        7.236          6.512
(23)|f3/f4|             0.355        0.711          0.813
(24)|f4/f5|             1.028        0.693          0.649
(25)ft/fw               7.922        8.003          8.006
(26)Fnot                4.07166      4.0525         4.07439
条件式                実施例４      実施例５      実施例６
(1)Tp2G_min_p               0.012736      0.011736      0.01038
(2)νd1G_max_p             81.54         81.54         81.61
(3)nd2G_max_p               2.0007        1.9108        1.8548
(4)|f2/f3|               0.60          0.64           0.61
(5)f1/f3                 4.67          4.64           4.53
(6)|Φmaxt/f2|            1.81          1.71           1.7
(7)νd2G_max_n            63.4          81.54         81.61
(8)νd3G_max_p            81.54         81.54         81.61
(9)νd4G_max_n-νd4G_min_p   19.97         19.22         20.44
(10)νd5G_min_p           81.54         81.54         81.61
(11)Tp2G_max_n              4.00E-05       0.027876     0.027876
(12)nd2G_max_n              1.88300        1.88300      1.74320
(13)Tp3G_max_p             0.027876      0.027876     0.027876
(14)LTLt/ft              1.76          1.69         1.7
(15)LTLw/ft              1.34          1.34         1.31
(16)f1/ft                1.06          1.03         1.07
(17)Tp1G_max_p             0.027876      0.027876     0.027876
(18)nd2G_n1               1.88202       1.883        1.7432
(19)νdG3_IS_p-νdG3_IS_n   34.58        34.58        22.37
(20)νdG2_min_p           25.46        28.46        24.7985
(21)ft/expt             -0.491       -0.672       -0.214
(22)|f1/f2|              7.847        7.201        7.411
(23)|f3/f4|              0.931        0.948        0.936
(24)|f4/f5|              0.576        0.559        0.634
(25)ft/fw                8.001        8.218        8.009
(26)Fnot                 4.08         4.08         4.07846
条件式                実施例７      実施例８      実施例９
(1)Tp2G_min_p               0.012736      0.01038       0.012736
(2)νd1G_max_p             81.54         81.61         74.7
(3)nd2G_max_p               2.0007        1.8548        2.00069
(4)|f2/f3|               0.62          0.59          0.59
(5)f1/f3                 4.22          4.67          4.711
(6)|Φmaxt/f2|            1.38          1.75          1.78
(7)νd2G_max_n            63.4          81.61          63.4
(8)νd3G_max_p            81.54         81.61          74.7
(9)νd4G_max_n-νd4G_min_p   19.97         20.44         19.97
(10)νd5G_min_p           81.54         81.61         81.54
(11)Tp2G_max_n              4.00E-05      0.027876      4.00E-05
(12)nd2G_max_n              1.88300       1.74320       1.88202
(13)Tp3G_max_p             0.027876      0.027876      0.01722
(14)LTLt/ft              2.02          1.78          1.792
(15)LTLw/ft              1.66          1.33          1.35
(16)f1/ft                1.21          1.12          1.0785
(17)Tp1G_max_p             0.027876      0.027876      0.01722
(18)nd2G_n1               1.88202       1.7432        1.88202
(19)νdG3_IS_p-νdG3_IS_n   22.37         53.82        34.58
(20)νdG2_min_p           25.46         24.7985       25.46
(21)ft/expt             -0.162        -0.016         0.4843
(22)|f1/f2|              6.815         7.902         7.964
(23)|f3/f4|              0.965         0.943         0.938
(24)|f4/f5|              0.613         0.681         0.576
(25)ft/fw                6.411         8.009         7.889
(26)Fnot                 4.08          4.04297       4.147
条件式               実施例１０   実施例１１   実施例１２
(1)Tp2G_min_p              0.00451      0.01038      0.01038
(2)νd1G_max_p            74.7         81.61        81.61
(3)nd2G_max_p              2.001        1.8548       1.8548
(4)|f2/f3|               0.62         0.70         0.72
(5)f1/f3                 4.7188       4.12         4.27
(6)|Φmaxt/f2|            1.686        1.39         1.39
(7)νd2G_max_n            68.63        81.61        81.61
(8)νd3G_max_p            70.23        81.61        81.61
(9)νd4G_max_n-νd4G_min_p   17.31        20.44        20.44
(10)νd5G_min_p           81.54        81.61        81.61
(11)Tp2G_max_n             0.01241      0.027876     0.027876
(12)nd2G_max_n             1.883        1.80610      1.88300
(13)Tp3G_max_p             0.00087      0.027876     0.027876
(14)LTLt/ft              1.782        1.64         1.63
(15)LTLw/ft              1.38         1.64         1.63
(16)f1/ft                1.108        1.04         1.04
(17)Tp1G_max_p             0.01722      0.027876     0.027876
(18)nd2G_n1               1.88202      1.8061      1.883
(19)νdG3_IS_p-νdG3_IS_n   34.58         50.29       50.29
(20)νdG2_min_p           29.13         24.7985     24.7985
(21)ft/expt              0.4479       -0.523      -1.141
(22)|f1/f2|              7.661         5.906       5.889
(23)|f3/f4|              0.940         1.080       1.103
(24)|f4/f5|              0.586         0.464       0.410
(25)ft/fw                7.589         8.008       8.004
(26)Fnot                 4.1           4.08        4.1
条件式              実施例１３   実施例１４   実施例１５
(1)Tp2G_min_p              0.01038      0.017036     0.017036
(2)νd1G_max_p            81.61        81.54        81.54
(3)nd2G_max_p              1.8548       1.9212       1.9212
(4)|f2/f3|               0.70         0.71         0.72
(5)f1/f3                 3.93         5.27         5.35
(6)|Φmaxt/f2|            1.4          1.67         1.61
(7)νd2G_max_n            81.61        81.54        81.54
(8)νd3G_max_p            81.61        81.54        81.54
(9)νd4G_max_n-νd4G_min_p   20.44        24.29        24.29
(10)νd5G_min_p           81.61        81.54        81.54
(11)Tp2G_max_n             0.027876     0.027876     0.027876
(12)nd2G_max_n             1.88300      2.00069      2.00069
(13)Tp3G_max_p             0.027876     0.027876     0.027876
(14)LTLt/ft              1.63         1.68         1.71
(15)LTLw/ft              1.63         1.7          1.7
(16)f1/ft                0.98         1.08         1.13
(17)Tp1G_max_p             0.027876      0.027876     0.027876
(18)nd2G_n1               1.883         2.00069      2.00069
(19)νdG3_IS_p-νdG3_IS_n   50.29         52.41        52.41
(20)νdG2_min_p           24.7985       23.9557      23.9557
(21)ft/expt             -1.046        -1.310       -1.100
(22)|f1/f2|              5.597         7.384        7.389
(23)|f3/f4|              1.081         1.143        1.004
(24)|f4/f5|              0.452         0.423        0.475
(25)ft/fw                8.025         7.975        7.941
(26)Fnot                 4.05609       4.08319      4.0804
【０３５５】
図３１は、電子撮像装置としての一眼ミラーレスカメラの断面図である。図３１において、一眼ミラーレスカメラ１の鏡筒内には撮影光学系２が配置される。マウント部３は、撮影光学系２を一眼ミラーレスカメラ１のボディに着脱可能とする。マウント部３としては、スクリュータイプのマウントやバヨネットタイプのマウント等が用いられる。この例では、バヨネットタイプのマウントを用いている。また、一眼ミラーレスカメラ１のボディには、撮像素子面４、バックモニタ５が配置されている。なお、撮像素子としては、小型のＣＣＤ又はＣＭＯＳ等が用いられている。
【０３５６】
そして、一眼ミラーレスカメラ１の撮影光学系２として、例えば上記実施例１〜１５に示したズームレンズが用いられる。
【０３５７】
図３２、図３３は、実施例１〜１５に示したズームレンズを有する撮像装置の構成の概念図を示す。図３２は撮像装置としてのデジタルカメラ４０の外観を示す前方斜視図、図３３は同後方斜視図である。このデジタルカメラ４０の撮影光学系４１に、本実施例のズームレンズが用いられている。
【０３５８】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１のズームレンズを通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記録手段に記録することができる。
【０３５９】
図３４は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０３６０】
図３４に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０３６１】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０３６２】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【０３６３】
ＣＣＤ４９は、撮像駆動回路１６により駆動制御され、撮影光学系４１を介して形成された物体像の画素ごとの光量を電気信号に変換し、ＣＤＳ／ＡＤＣ部２４に出力する撮像素子である。
【０３６４】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０３６５】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０３６６】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０３６７】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０３６８】
このように構成されたデジタルカメラ４０は、撮影光学系４１として本実施例のズームレンズを採用することで、広角側の画角や撮影可能な画角範囲が広く、ノイズの少ない画像を得ることが可能となる。
【０３６９】
なお、本発明は、その趣旨を逸脱しない範囲で様々な変形例をとることができる。また、上記各実施例により示された形状枚数には必ずしも限定されない。また、上記各実施例において、カバーガラスＣは必ずしも配置しなくても良い。また、各レンズ群内又は各レンズ群外に、上記各実施例に図示されていないレンズであって実質的に屈折力を有さないレンズを配置してもよい。上記各実施例は、実質的に５つのレンズ群からなるズームレンズということもできる。
【産業上の利用可能性】
【０３７０】
以上のように、本発明は、広い画角と高い変倍比を持ちながらも、諸収差が良好に補正され、なお且つ、全長が短いズームレンズ及びそれを備えた撮像装置に適している。
【符号の説明】
【０３７１】
Ｇ１  第１レンズ群
Ｇ２  第２レンズ群
Ｇ３  第３レンズ群
Ｇ４  第４レンズ群
Ｇ５  第５レンズ群
Ｓ  明るさ（開口）絞り
Ｃ  平行平板
Ｉ  像面
１  コンパクトカメラ
２  撮影光学系
４  撮像素子面
５  バックモニタ
１２  操作部
１３  制御部
１４、１５  バス
１６  撮像駆動回路
１７  一時記憶メモリ
１８  画像処理部
１９  記憶媒体部
２０  表示部
２１  設定情報記憶メモリ部
２２  バス
２４  ＣＤＳ／ＡＤＣ部
４０  デジタルカメラ
４１  撮影光学系
４２  撮影用光路
４５  シャッターボタン
４７  液晶表示モニター
４９  ＣＣＤ
【図１】
0006491319.tif 000002
【図２】
0006491319.tif 000003
【図３】
0006491319.tif 000004
【図４】
0006491319.tif 000005
【図５】
0006491319.tif 000006
【図６】
0006491319.tif 000007
【図７】
0006491319.tif 000008
【図８】
0006491319.tif 000009
【図９】
0006491319.tif 000010
【図１０】
0006491319.tif 000011
【図１１】
0006491319.tif 000012
【図１２】
0006491319.tif 000013
【図１３】
0006491319.tif 000014
【図１４】
0006491319.tif 000015
【図１５】
0006491319.tif 000016
【図１６】
0006491319.tif 000017
【図１７】
0006491319.tif 000018
【図１８】
0006491319.tif 000019
【図１９】
0006491319.tif 000020
【図２０】
0006491319.tif 000021
【図２１】
0006491319.tif 000022
【図２２】
0006491319.tif 000023
【図２３】
0006491319.tif 000024
【図２４】
0006491319.tif 000025
【図２５】
0006491319.tif 000026
【図２６】
0006491319.tif 000027
【図２７】
0006491319.tif 000028
【図２８】
0006491319.tif 000029
【図２９】
0006491319.tif 000030
【図３０】
0006491319.tif 000031
【図３１】
0006491319.tif 000032
【図３２】
0006491319.tif 000033
【図３３】
0006491319.tif 000034
【図３４】
0006491319.tif 000035